(57)【要約】      （修正有）【課題】容器が加圧器内に設置されていない時の省エネ安全性を向上させ、飲料が加圧器内に流れ出ず、位置決めも安定なアセンブリを提供する。【解決手段】タッピング装置とタッピング装置を介して放出さるべき液体、特にビールあるいはソフトドリンクのための容器３のアセンブリーで、液出し手段が液体のため設けられ、加圧室１１がタッピング装置内に設けられており、この加圧室１１内に使用中容器３が少なくとも部分的に伸びており、加圧媒体が液体と接触することなく液体を容器３から液出し手段を介して押し出すため加圧媒体を加圧室３中に供給するための加圧手段１７がもうけられており、使用中圧力空間が容器３の液出し口からある距離の所に容器３の密閉部により少なくとも部分的に規定され大気に対し閉ざされており、容器３の液出し口は加圧室１１外に位置せしめられているアセンブリー。【選択図】図１
2010047322.tif 000002
【特許請求の範囲】
【請求項１】
タッピング装置と該タッピング装置を介して放出さるべき液体特にビールあるいはソフトドリンクの為の容器で、液出し手段が該液体のため設けられており、該タッピング装置には加圧室が設けられ、この加圧室中に使用時容器が少なくとも部分的に伸び、加圧手段は液出し手段を介して容器から液体を、加圧媒体が液体と接触することなく、押し出すために加圧室中に加圧媒体を供給する目的で設けられている、アセンブリーであって、使用中に圧力空間が容器の液出し口からある距離に、容器の密閉部により少なくとも部分的に規定され且つ閉ざされ、容器の液出し口は加圧室の外側に位置せしめられていることを特徴とするアセンブリー。
【請求項２】
密閉部が環状形部分からなり、充填及び／又は液出し口からある距離の点で容器の周りに伸び、該環状部分はタッピング装置内に密封的に受け入れられることを特徴とする請求項１記載のアセンブリー。
【請求項３】
容器が瓶形あるいは樽形で、少なくとも液出し口がそこに設けられるショルダー部を含み、密閉部がショルダー部の液出し口から遠い縦エッジに隣接し伸びていることを特徴とする請求項１あるいは２記載のアセンブリー。
【請求項４】
密閉部が容器に固定的に接続されており、特に其れと一体に作られていることを特徴とする請求項１〜３のいずれかに記載のアセンブリー。
【請求項５】
密閉部が液出し口を取り囲む容器部分、とくにそのネック部の少なくとも一部の周りに設けられるはめ合わせ部に収容されていることを特徴とする請求項１〜３のいずれかに記載のアセンブリー。
【請求項６】
容器が使用中加圧室内の圧力蓄積により実質的に変形しないものであり、加圧室は少なくとも部分的に容器中に収容され、容器内で蓄積圧力により変形しうる少なくとも一部が放出去るべき液体のための貯蔵室を加圧室から分離している特徴を有する請求項１〜４のいずれかに記載のアセンブリー。
【請求項７】
変形可能部が膜の形であることを特徴とする請求項６記載のアセンブリー。
【請求項８】
変形可能部がバッグ形あるいは瓶形で、この変形可能部の少なくとも環状部が好ましくは液出し口にあるいはそれに隣接して容器に接続されている特徴を有する請求項６記載のアセンブリー。
【請求項９】
容器の外側に少なくとも１つの加圧液の通過口が設けられており、該通過口は容器内の加圧室を外気に接続する特徴を有する請求項６〜８のいずれかに記載のアセンブリー。
【請求項１０】
少なくとも１つの該通過口が容器の頂部末端近傍にその底から少なくとも間隙を置いて位置せしめられている特徴を有する請求項９記載のアセンブリー。
【請求項１１】
少なくとも液出し手段が開放さてた時、使用中加圧室内での圧力蓄積により容器は変形可能で、好ましくは少なくとも実質的に完全に圧縮され、少なくとも密閉部と好ましくははめ合わせ部は蓄積圧力により少なくとも変形されずその密封作用が保持せられる特徴を有する請求項５記載のアセンブリー。
【請求項１２】
はめ合わせ部内で容器は変形可能である特徴を有する請求項１１記載のアセンブリー。
【請求項１３】
容器が薄い壁で自己支持性でありプラスチック特に熱可塑性ポリマー、より特定的にはＰＥＮ，好ましくはＰＥＮとＰＥＴの組み合わせから作られる特徴を有する請求項１〜１２のいずれかに記載のアセンブリー。
【請求項１４】
容器が、液出し口と連絡しているあるいは連絡せられる液出し手段で容器に比較的固定的に接続されており使用中放出さるべき液体とべつの液出し手段との接触をさまたげる筒状液出し手段を含むことを特徴とする請求項１〜１３のいずれかに記載のアセンブリー。
【請求項１５】
筒状液出し手段が少なくとも部分的に可撓性ホース形で、比較的容易に弾性的遮断がなされうる特徴を有する請求項１４記載のアセンブリー。
【請求項１６】
使用中筒状液出し手段の少なくとも自由端は液出し装置の外側に伸び、該液出し手段は少なくとも部分的にクランプ機構中に含まれ、それにより液出し手段中の通過が所望の如く開放あるいは閉鎖され、タッピング装置は使用後に液出し手段がクランプ機構から取り外され容器と共に取り出されるように設計されている特徴を有する請求項１４あるいは１５記載のアセンブリー。
【請求項１７】
筒状液出し手段がかみ合い手段でそれによりその少なくとも自由端が液出し口からある距離まで移動せられる手段を含む請求項１４〜１６のいずれかに記載のアセンブリー。
【請求項１８】
充填状態で使用前の容器が液出し口にあるいはそれに隣接して突き破り可能な密封シール手段を含み、加圧室に過剰圧力が出来る間あるいは後で密封シール手段を突き破る手段が設けられ、この突き破り手段により容器の内側空間を液体の放出チャンネルと連絡せしめるようにする特徴を有する請求項１〜１７のいずれかに記載のアセンブリー。
【請求項１９】
筒状液出し手段が少なくとも突き破り手段と放出チャンネルとを含む請求項１８、及び請求項１４〜１７のいずれかに記載のアセンブリー。
【請求項２０】
タッピング装置内の容器はそれからある距離のところで加圧室の壁により取り囲まれ、密閉部は圧力室に圧力が加わっていないとき、タッピング装置内に設けられているそれと協力する密閉手段から幾分離れており、また加圧室内に圧力が蓄積する間密閉部は、加圧室をさらに密閉するためタッピング装置の協力密閉手段に逆らって移動することを特徴とする請求項１〜１９のいずれかに記載のアセンブリー。
【請求項２１】
協力密閉手段に逆らっての容器の移動中、突き破り手段が密封シール手段中に押し入れられることを特徴とする請求項２０、１８あるいは１９に記載のアセンブリー。
【請求項２２】
タッピング装置が好ましくはピボットでその上に設けられたカバー部を有する樽形の第１部を含み、容器は加圧室を作るべくこの第１部中に大体垂直に位置せしめることが出来、カバー部は容器上に閉ざすことが出来、加圧室中の圧力が大体大気圧より高い限りカバー部が開かないように圧力から保護する手段が設けられ、容器は容器の周り及び／又は容器内で加圧室内の圧力が大気圧以上に増大せしめられるまで大気に対して閉ざされたままであることを特徴とする請求項１〜２１のいずれかに記載のアセンブリー。
【請求項２３】
密閉容器内の飲料をタッピング装置のボックス形部分中に置き、容器には液出し口と、該液出し口をそれからある距離で取り囲みボックス形部分に密封的に押しつけられて置かれ少なくとも容器、ボックス形部分及び密閉部の間に加圧室を作る密閉部とが設けられ、液出し口に隣接して容器に接続されている少なくとも部分的に相対的に可撓性の筒状液出し手段の自由端はタッピング装置の外側位置に移動せしめられ、そこでカバー部が容器を覆つて閉じられ固定され、タッピング装置の外側に伸びる筒状液出し手段の部分がクランプ装置内に置かれそれにより液出し手段内の通路が所望の如く開閉され、加圧室内の圧力が加圧手段により増大せしめられ、そこで容器内部が少なくともクランプ装置により大気と連絡せしめられ、圧力蓄積の影響下に容器の少なくとも飲料含有部分をせばめることにより、筒状液出し手段を通じ飲料を大気へと放出することからなる、飲料特にビールあるいは炭酸ソフトドリンクの如き炭酸飲料をタッピングする方法。
【請求項２４】
容器内部が大気と開放連絡せしめられる間あるいはその前に、滅菌的にシールしている密封シール手段が突き破り手段好ましくは筒状液出し手段上の突き破り手段によりまた加圧室内の圧力蓄積の影響下に突き破られることを特徴とする請求項２３記載の方法。
【請求項２５】
室内での圧力蓄積中に、突き破り手段が密封シール手段中に突き通るように、容器が突き破り手段に対して移動せられることを特徴とする請求項２４記載の方法。
【請求項２６】
容器として圧縮可能容器が用いられ、容器に比して相対的に剛性なはめ合わせ部上に密閉部分が設けられ、加圧室内での圧力蓄積中に飲料を放出しつつ容器がはめ合わせ部中で圧縮されることを特徴とする請求項２３〜２５のいずれかに記載の方法。
【請求項２７】
容器として比較的剛性の容器が用いられ、この容器は可撓性真悪により分離された貯蔵室と少なくとも加圧室部分とを含み、圧力室内での圧力増大により膜手段は少なくとも部分的に液出し口の方向に押され、容積の減少する貯蔵室から飲料が押し出されることを特徴とする請求項２３〜２５のいずれかに記載の方法。
【請求項２８】
請求項１〜２２の何れかに記載のアセンブリーあるいは請求項２３〜２７の何れかに記載の方法に用いられる容器。
【請求項２９】
容器が合成物質、特にＰＥＮ，好ましくはＰＥＴとＰＥＮの組み合わせから作られ、該容器がＣＯ２含量３ｇ／ｋｇ以上、特に４．５ｇ／ｋｇ以上のビール特にラガーを貯蔵するように設計され、その容積が２リットルあるいは以上、好ましくは少なくとも４リットルであることを特徴とする請求項２８記載の容器。
【請求項３０】
容器の壁中に、外部圧の影響下に好ましい方向、少なくとも半径方向、好ましくは軸方向及び／又は半径方向に容器の少なくとも一部が圧縮されるよう変形域が設けられていることを特徴とする請求項２８あるいは２９記載の容器。
【請求項３１】
容器が使用中実質的に変形しない壁を有し、容器内にバッグ形あるいは瓶形の貯蔵室が含まれ、これが圧縮可能で少なくとも容器の液出し口にあるいはその近傍に固定されており、少なくとも貯蔵室の壁は実質的に酸素を通過させないことを特徴とする請求項２８記載の容器。
【請求項３２】
請求項１〜２２の何れかに記載のアセンブリーあるいは請求項２３〜２７の何れかに記載の方法に用いられるタッピング装置。
【請求項３３】
請求項１〜２２の何れかに記載のアセンブリーあるいは請求項２３〜２７の何れかに記載の方法における、請求項２８〜３１のいずれかに記載の容器及び／又は請求項３２記載のタッピング装置の使用。
【請求項３４】
請求項５〜２２の何れかに記載のアセンブリーあるいは請求項２３〜２７の何れかに記載の方法、請求項２８〜３１のいずれかに記載の容器あるいは請求項３２記載のタッピング装置に用いられるはめ合わせ部。
【請求項３５】
好ましくは請求項１〜２２のいずれかに記載のビール及びその他の好ましくは炭酸性飲料を貯蔵並びに液出しするアセンブリーで、飲料のための容器と液出し手段を含み、該容器は容器内の貯蔵室を加圧室から分離する分離手段を含み、液出し手段は貯蔵室に連結可能でありまた加圧源が加圧室に連結可能で、この配置は使用中に加圧媒体が加圧源により加圧室中に導入され、液出し手段が開放されると分離手段の少なくとも部分的移動と貯蔵室容積の減少により飲料が貯蔵室から放出せられる配置となっているアセンブリー。
【請求項３６】
分離手段が膜手段特に幾分シート形の膜からなる請求項３５記載のアセンブリー。
【請求項３７】
膜が容器の壁で液出し手段からある距離の点に接続され、貯蔵室が実質的完全に空になる時、膜が貯蔵室の壁の内側に押しつけられることを特徴とする請求項３６記載のアセンブリー。
【請求項３８】
加圧室の容積が増大するとき膜が幾分弾力的に引き延ばされることを特徴とする請求項３６あるいは３７記載のアセンブリー。
【請求項３９】
分離手段がピストン手段からなることを特徴とする請求項３５記載のアセンブリー。
【請求項４０】
容器内にピストン手段をその移動中に所望位置に保つために配置されたガイド手段がピストン手段のため設けられていることを特徴とする請求項３９記載のアセンブリー。
【請求項４１】
ピストン手段が液出し手段に面する頂面で中に液出し手段が設けられる内面の形に適合した面を有するピストンを含み、その配置はピストンが該内面にもたれて移動するとき、貯蔵室の容積が最小、好ましくは零になるような配置であることを特徴とする請求項３９あるいは４０記載のアセンブリー。
【請求項４２】
貯蔵室が最大限に充填された時、加圧室の容積は貯蔵室の容積より小であり、この状態で、分離手段は好ましくは加圧室の内壁に接触することを特徴とする請求項３５〜４１のいずれかに記載のアセンブリー。
【請求項４３】
液出し手段が分離手段の反対側での容器壁部分に配置されていることを特徴とするる請求項３５〜４２のいずれかに記載のアセンブリー。
【請求項４４】
容器が加圧源並びに少なくとも一部の液出し手段から切り離し可能で、飲料を再充填できることを特徴とする請求項３５〜４３のいずれかに記載のアセンブリー。
【請求項４５】
圧力源が液体特に水を加圧室中に供給するため配置されていることを特徴とする請求項３５〜４４のいずれかに記載のアセンブリー。
【請求項４６】
圧力源並びに液出し手段への接続のためのタッピング手段がタッピング装置の一部を構成し、このタッピング装置はその中に容器が設置せられるボックス形底部を含み、この底部は気密になるよう容器で閉鎖されており、容器には開口が設けられ、加圧室が使用中内部空間に接続せられる圧力源と連絡され得るようになっていることを特徴とする請求項３５〜４５のいずれかに記載のアセンブリー。
【請求項４７】
容器が使用中底部の壁に接触し該底部を閉鎖する環状エッジを含むことを特徴とする請求項４６記載のアセンブリー。
【請求項４８】
圧力源並びに液出し手段への接続のためのタッピング手段がタッピング装置の一部を構成し、このタッピング装置は少なくとも部分的に容器を含むための受入部を有し、容器にはその底側から或る距離の所に、好ましくは側壁に少なくとも１つの開口が設けられ、少なくとも１つの開口に圧力源が接続可能であり使用中圧力源と容器内の圧力空間の間に開放連絡がなされるようになっていることを特徴とする請求項３５〜４５のいずれかに記載のアセンブリー。
【請求項４９】
貯蔵室が容器の液出し口に少なくとも隣接して設けられた比較的可撓性のバッグにより囲まれており、容器の壁とバッグの間に少なくとも１つの加圧 空間がかこまれていることを特徴とする請求項３５〜４８のいずれかに記載のアセンブリー。
【請求項５０】
圧力源が使用中になかに導入された加圧媒体の少なくとも一部を加圧室から除くように配置されていることを特徴とする請求項３５〜４９のいずれかに記載のアセンブリー。
【請求項５１】
容器が容器の他の部分に固定されているキャップを含み、液出し手段の少なくとも一部が該キャップに縒り覆われており、該キャップはカバー部により閉鎖される少なくとも１つの開口を有し、カバー部のための密封シール手段がキャップに対して設けられ、密封シール手段を破った後だけにキャップによりカバーされた液出し手段が外部から手に触れうるようになっていることを特徴とする請求項３５〜５０のいずれかに記載のアセンブリ ー。
【請求項５２】
密封シール手段がカバー部をキャップに接続する多数の素子からなることを特徴とする請求項５１記載のアセンブリー。
【請求項５３】
液出し手段がタッピング手段に接続可能な少なくとも部分的に可撓性のチューブ部からなることを特徴とする請求項３５〜５２のいずれかに記載のアセンブリー。
【請求項５４】
液出し手段中にあるいはそれに隣接して、液出し中に飲料を冷却するため冷却手段がふくまれることを特徴とする請求項３５〜５３のいずれかに記載のアセンブリー。
【請求項５５】
液出し手段上にかみ合わせ手段が設けられ、このかみ合わせ手段は使用中に外側から目視できる少なくとも１つの面を含み、その上に情報特に容器のブランド及び／又は内容物に関する情報がもうけられることを特徴とする請求項３５〜５４のいずれかに記載のアセンブリー。
【請求項５６】
請求項３５〜５５のいずれかに記載のアセンブリーに用いられる容器。
【請求項５７】
ビールおよび他の、好ましくは炭酸飲料を貯蔵並びに放出する方法で、この飲料は貯蔵室内に貯蔵され、この貯蔵室はすくなくとも片側がすくなくとも部分的に可撓性の壁、特に膜で囲まれており、また貯蔵室から反対側にめんする側面には加圧室が設けられ、貯蔵室の可撓性壁からはなれた側には液出し口が設けられ、液出し口とタッピング手段の間には接続手段が設けられ。加圧媒体が加圧室中に供給されると可撓性の壁が液出し口の方向に部分的に移動し、飲料が加圧媒体と接触することなく貯蔵室から接続手段及びタッピング手段を通り押し出される、方法。
【請求項５８】
少なくとも一部の飲料が貯蔵室から移行された後、加圧媒体が加圧室から除かれ、可撓性の壁が少なくとも部分的に出発位置にもどることを特徴とする請求項５７記載の方法。
【発明の詳細な説明】
【技術分野】
【０００１】
本発明はタッピング装置で液出しさるべきビールあるいは清涼飲料の容器とタッピング装置との組合わせに係るものである。
【背景技術】
【０００２】
かかるアセンブリーは特許文献１により周知である。
この周知のアセンブリーは加圧容器とそのなかに収容され、且つ加圧下に空気あるいは水の如き加圧媒体を加圧容器内に供給することにより圧縮せられる容器からなる。閉止ねじ山連結部により、容器は加圧容器のカバー部内に収容されている計量分配ラインに接続せられる。加圧容器はボックス型の底部と上記のカバー部からなり、このカバー部は底部から取り外し可能である。このアセンブリーを使用する場合、容器は取り外されたカバー部中にねじ込まれ、次に底部中に挿入され、その後カバー部が底部に固定せられる。その結果、全容器の周りに密閉加圧室が出来上がる。計量分配ラインにはタップが設けられ、それにより計量分配ラインが開閉せられる。タップを開いた際に計量分配チャンネルから飲料が容器外へと出され容器を圧縮することにより周囲へと押し出される。この周知のアセンブリーは圧縮可能容器から飲料を容易に排出せしめることができる。
【０００３】
この周知のアセンブリーの欠点は容器が加圧器内に設置されていないのに加圧器内に圧力が蓄積せられ得る点である。これはエネルギー的にもまた安全性の点からも望ましくない。また、加圧器内に設置せられる前に容器は先ずルーズカバー部中にねじ込まれねばならず、更にまた、容器は最初に開けておかれねばならない。そのようにして初めて容器は加圧器中に挿入され、加圧室が閉じられる。このことは容器を加圧器中に設置するあいだに、飲料が既に周りに流れ出ることを意味する。更に又、カバー部は底部から完全に分離されねばならない。これは容器を圧縮するための圧力に耐えるため特殊な構造的手段が必要であることを意味する。周知のアセンブリーのさらなる欠点は、加圧器内で容器がその頸部付近だけで保持されるので、瓶の位置決めが比較的不安定になる点である。
【先行技術文献】
【特許文献】
【０００４】
【特許文献１】欧州特許第３７７１９５号
【発明の概要】
【０００５】
本発明の目的の１つは請求項第１項の前文に規定されている型のアセンブリーであって、上記の欠点がなく且つ利点は保持されているアセンブリーを提供するにある。そのため本発明にかかるアセンブリーは、請求項第１項の特徴部分に規定された特徴を有する。
【０００６】
使用中の加圧空間は容器と一緒に設置せられるべき閉鎖部により少なくとも部分的に決定されまた周囲から閉鎖せられるので、容器が適切な方法で位置せしめられた時にのみ圧力が加圧器内に蓄積せられる利点が得られる。さもないと計量分配装置内に供給された加圧媒体はそこから直接流れ去ってしまうことになる。これはもし、装置が不用意にスイッチオンされた時、容器が無いことが直ぐにわかり、また容器なしで加圧装置が開き作業者に危険が及ぶ危険性が無くなることを意味する。容器が無いときには作業者は明らかにアセンブリーをあまり注意せずに取り扱う傾向がある。従って、本発明のアセンブリーは周知のものより極めて安全性が高い。閉鎖部が容器の計量分配口からある距離に配置されているため、密閉圧は比較的大きい表面積にわたり加わり、従って適当なシールが達成されしかもこのシールは比較的大なる許容度で達成せられる。計量分配口は加圧器の外に位置しているので、加圧室内の加圧媒体が計量分配さるべき飲料と接触することが容易に防止せられる。このように、アセンブリー使用全期間を通じて、飲料品質は保持せられる。本発明に係るアセンブリーのさらなる利点は、容器が先ず底部中に設置され、その後カバー部が容器の上で閉ざされ、容器を装置内に設置したあとで所望により、少なくとも計量分配口だけを開口させればよい点である。容器を加圧器内に設置し加圧室を作った後でも容器の計量分配口はまだ接近可能である。このことは、所望により容器を加圧器内に設置するあいだ閉じておくことが出来ることを意味する。こうすると飲料が不用意に流れ出すことが防止せられる。
【０００７】
有利な１具体例において本発明のアセンブリーは請求項第２項の特徴部分により特徴ずけられる。
【０００８】
つば形の閉鎖部が容器の周りに充填及び／又は計量分配口からある距離をおいて伸びていることが、容器を加圧器内に設置することをさらに簡単にする利点を与える。結局、使用中加圧室の内側に伸びている容器部分は容易に挿入口を通ることが出来、他方つば形の部分は少なくとも１方向で、それと協力する密閉手段に衝突し、その間容器は実質的に円筒状外壁を有し、これは製造上も審美的観点からも有利である。従って、少なくとも上記縦エッジの一部と協力して適当なシーリングが簡単に得られる。また、それにより加圧器内にでの容器の性格な位置決めが直接的に得られる。
【０００９】
さらに別の有利な具体例で本発明に係るアセンブリーは請求項６の特徴によりさらに特徴付けられる。
【００１０】
この具体例では中に飲料のための貯蔵室が含まれる実質的に変形出来ない容器が用いられる。変形可能なパーツが貯蔵室を加圧室から分離している。特に、タッピング装置以外に、かかる容器は貯蔵室が十分に保護されており、使用中、加圧媒体により簡単に空になることはない。かかる容器は再利用の飲料容器として特に有用である。
【００１１】
更に別の好ましい具体例において、本発明に係るアセンブリーは請求項１１の特徴で特徴ずけられる。
【００１２】
この具体例に於いて、容器は加圧下に圧力室に供給せられる加圧媒体により圧縮せられる。加圧媒体の圧力の影響下に少なくとも十分に変形に耐えるはめ合わせ部が加圧室の永久的密閉を与える。このことは容器が容易に、好ましくは完全に圧縮されうることを意味する。かかる容器は廃棄可能容器として非常に好適である。特に有利な具体例に於いて、容器ははめ合わせ部中で完全に圧縮せられる。その場合、容器はプラスチック、特にポリマー、好ましくは熱可塑性ポマーから薄い壁で事故支持性に作られることが好ましい。特にＰＥＴあるいは好ましい具体例ではＰＥＮが本発明の飲料容器に使用せられるに適している。というのはこういったプラスチックは射出成形及び吹き込み成形で適当に加工できるからである。別の適用例で特に酸素及び炭酸ガス透過性の低いことが望まれる場合、ＰＥＴ／ＰＥＮラミネートあるいは混合物が特に好適である。かかるプラスチック容器は比較的容易に変形され、使用中ならびに使用前、飲料にたいする適切な保護を与える。この点に関し、特にＰＥＮから作られる比較的大きな容器が酸素通過に対し好適な障壁を与え、これは容器をビール貯蔵に用いる際に特に重要である。
【００１３】
更なる工夫では、本発明に係るアセンブリーは性空項１４の特徴で特徴付けられる。
容器に比較的しっかりと接続された筒状液出し手段が使用中、容器から放出さるべき飲料がタッピング装置の固定部分に接触しない利点を与える。この筒状液出し手段は容器と共に供給されまたとり外される。これでかかるアセンブリーの衛生的使用が特に簡単になる。また使用者と放出さるべき容器内の飲料との接触の可能性が非常に少なくなる。使用中タッピング装置は清浄に保たれるので、タッピング装置の再度使用の前に複雑、効果且つ環境汚染をともなう洗浄操作が不必要になる。
【００１４】
さらなる工夫で、本発明にかかるアセンブリーは請求項１５の特徴で特徴付けられる。
少なくとも部分的に可撓性のホース形液出し手段が液出しチャンネルを閉鎖するのに容易に圧迫シャットされうる利点を与える。祖のため、タッピング装置に加圧手段が設けられ、その加圧手段が液出し手段とでホースタップを形成する。
【００１５】
好ましい具体例に於いて、本発明に係るアセンブリーはさらに請求項１７特徴で特徴付けられる。
【００１６】
かかるかみあい手段は液出し手段の自由端が容易にかみあわされ液出し装置の外側位置に移動し例えばホースタップ中に挿入される利点を与える。また、このかみあわせ手段はタッピング装置の使用中、その外側から目視でき、例えば容器内容物の表示に使用せられる。このように、容器内容物は使用者に直接判明する。液出し手段が容器に固定接続されている場合、かみあい手段上の表示は容器内容物に確実に対応する。またこのようにして、かみあい手段は例えば銘柄、日付け、ロゴ等の広告機能をはたし得る。
【００１７】
特に有利な具体例において、本発明に係るアセンブリーは請求項１８の特徴で特徴付けられる。
【００１８】
突き通せる密封シール手段が容器はタッピング装置中に設置する前並びに途中は密閉したままに保ち、その結果として容器内容物の誤魔化しあるいは品質低下がないことを保証する利点を与える。こうして密封シール手段は例えば容器内容物がタッピング装置の使用前に外界と接触することを防止する。かかる手段の別の利点は容器に無菌的充填ができ、容器内の飲料の滅菌が付与王になる点である。特に比較的容積の大なる容器では、これは特に重要である。
【００１９】
特に有利にこういった密封シール手段の突き破りが請求項２１に係るアセンブリーの使用で実施せられる。
【００２０】
かっかる具体例において、加圧室に圧力が蓄積せられると、容器は軸的に密閉手段の方向に移動せられ突き破り手段が密封シール手段中に突き通される。これで容器内部と液出し手段との連絡がつく。その場合、タッピング装置、少なくともその加圧手段がスイッチオンされるまでは容器の自動的開放は得られない。
【００２１】
本発明はさらに飲料、特にビールのような炭酸飲料あるいは炭酸ソフトドリンクをタッピングする方法で、請求項２３の特徴を有する方法に関する。係る方法で、飲料は容器から特に安全且つ簡単な方法で放出せしめることが出来、容器はこの方法に使用さるべき装置とは別途に購入し、貯蔵し、放棄し、あるいは再利用可能である。この方法に用いられるべきパーツ類の形状のため、比較的許容度は大であり、その使用ならびに操作には比較的小さな力およびエネルギーが必要とされるに過ぎない。同じタッピング装置で、同様方法であるいは相当方法で種々の内容物の違った型の容器が空にされる。また、かかる方法で容器は密閉状態で圧力容器中に設置されその後で開放されるのでかかる方法は衛生的である。
【００２２】
第１の有利な具体例に於いて、本発明に係る方法は請求項２６の特徴を有する。圧縮可能容器は購入並びに使用の点で比較的安価であり、比較的軽量で、空の状態では比較的容積が小である利点を有する。また、かかる容器は充填状態で事故支持性であるから、効果且つ複雑な外装なしでその輸送並びに貯蔵が可能である利点を有する。
【００２３】
べつの具体例において、本発明に係る方法は請求項２７の特徴を有する。
相対的に剛性な容器は本発明に係るタッピング装置内で圧力が無くなっても再利用できる利点を与える。容器の再利用は環境上有利である。また、比較的剛性な容器は外部の影響例えば前に述べた圧縮可能容器より衝撃荷重に対する抵抗性が大である利点を有する。
【００２４】
本発明はさらに、本発明に係るアセンブリーあるいは方法に用いられるタッピング装置に関する。本発明はまた本発明に係る容器を本発明に係るアセンブリーあるいは方法に使用することに関する。本発明はまた本発明に係るアセンブリーあるいは方法あるいは容器あるいはタッピング装置に用いられるはめ合わせ部に関する。
【００２５】
さらに、本発明は請求項３５の特徴を有する飲料の貯蔵並びに放出のためのべつの具体例に係るアセンブリーに関する。
【００２６】
周知の貯蔵並びに液出しアセンブリーは、中に一定量の飲料がある程度の過剰圧で蓄えられている容器、所謂樽を含む。この装置はさらに推進剤特に二酸化炭素（ＣＯ２）の充填されたシリンダーを含む。この容器はその中を通つて一方では推進剤が容器へと導入され他方では適当な液出し手段、特にタッピング装置を介して飲料が放出せられる接続部を含む。飲料は加圧下に容器中に導入せられる推進剤により容器から押し出される。
【００２７】
かかる公知のタッピングセンブリーは構造が簡単で操作が簡単であり、しかもビールの放出圧が推進剤の圧力により制御可能である利点を有する。しかしながらこの公知のアセンブリーの欠点は容器中で推進剤と飲料の混合が生じる点である。このことは容器内の飲料の状態が影響をうけ、一定ではない点である。飲料が影響せられる度合いは実質的に、例えば推進剤の圧力並びに性質、容器が空になる時間及び推進剤圧をいかにセットするかによる。また、使用者にはそれが飲料と接触することは避けられないから使用さるべき推進剤の選択に限度がある。
【００２８】
本発明の目的は請求項１の前文に述べられた型のアセンブリーで、上述の欠点がなくしかもその利点を保持したアセンブリーを提供するにある。そのため、本発明に係るアセンブリーは請求項３５の特徴を有する。
【００２９】
飲料貯蔵室と加圧室に容器を分離することは飲料と加圧媒体とがたがいに接触されない利点を与える。加圧室を貯蔵室から分離する分離手段は飲料ならびに圧力媒体の影響下でその変形が可能であるように配置せられる。これは液出し手段が開放され過剰圧が加圧室に蓄積された時分離手段により飲料が貯蔵室から押し出され、飲料の組成及び質は一定のままであることを意味する。特にビールの如き炭酸飲料の場合これは重要である、というのは飲料の発泡作用が一定に保たれ味の点でも外観の点でも特に重要であるからである。さらに飲料の放出が悪影響をうけたりあるいは発泡が正確でなく放出不可能になることを防止する。
【００３０】
分離手段が容器内で移動及び／又は変形するので、所望により容器は剛性の外の形となし使用中同じ形態を保持させることが出来る。従って係る容器は再充填可能容器として作ることが出来る。
【００３１】
本発明に係るアセンブリーの更なる利点は使用さるべき圧力源の選択が非常に自由になされる点である。例えばガスあるいは液体を加圧室に導入することが出来る。圧力源は例えば二酸化炭素の如き推進剤用加圧シリンダーでありうるが、水の如き液体を加圧室に供給する加圧ポンプを設けて構成することも出来る。
【００３２】
好ましい具体例に於いて、本発明に係るアセンブリーは請求項３６の特徴を有する。
この膜手段は変形により室の容積を変えることの出来る利点を提供する。この為、膜手段は容器の内壁にもたれて最小容積あるいは最大容積と完全に変形せられる。膜手段は好ましくは幾分シート形で、その結果としてそれは小さな空間を占める。
【００３３】
有利な具体例で本発明に係るアセンブリーは請求項３８の特徴を有する。
加圧室内の圧力ならびに容積を増大させ飲料を放出する間、膜の少なくとも一部は液出し手段の方向に移動する。この移動の少なくとも一部の間に膜での弾性的変形を生ぜしめることにより、膜は少なくとも貯蔵室が実質的に空になった時、実質的に緊張して伸びあるいは少なくとも平滑になる利点がある。これは飲料を膜と例えば容器の壁との間に囲い込み加圧室内の過剰圧力のため飲料が液出し手段の方向におされなくなることを防止する。この点に関し、膜の変形で、膜の中心部は液出し手段の少なくとも反対側に隣接した位置に、あるいはそれに逆らって移動し、他方使用中に膜での変形がエッジの方に大となる様に液出し手段が位置せしめられるなら特に有利である。
【００３４】
別の有利な具体例に於いて、本発明に係るアセンブリーは請求項３９の特徴を有する。
ピストン手段を含むあるいはピストン手段として設計された分離手段は簡単で、比較的に剛性あるいは幾分変形可能な設計のものとし、このピストン手段は容器の長さ方向に移動するように配置せられる。かかるピストン手段の移動は加圧媒体を加圧室に供給して前述の如く実施されるが、また例えばスクリュースピンドル、電磁手段等の如き押し出しあるいは吸引手段により、機械的あるいは機械電気的手段で実施することも可能である。ピストン手段は簡単で問題の装置の寿命を長くする設計になされる。
【００３５】
更なる有利な具体例で、本発明に係るアセンブリーは請求項４４の特徴を有する。
再充填可能な取り外し可能な容器は容器の再利用が可能で経済的並びに環境上とくに有利である。またこれはたのアセンブリー、特に加圧源とは別に容器を輸送ならびに貯蔵でき特にエネルギー的並びに空間的に有利である。
【００３６】
さらに別の有利な具体例で、本発明に係るアセンブリーは請求項４５の特徴を有する。
加圧媒体として液体、とくに水を利用すると加圧媒体の圧縮生が小で飲料を貯蔵室から通過させるのに比較的低い圧力が使用され、且つ加圧源として例えば液体ポンプが利用できる利点がある。また、加圧媒体として水を用いると圧力源として水供給システムが容易に利用できる。
【００３７】
好ましい具体例において、本発明に係るアセンブリーはさらに請求項４６の特徴を有する。
【００３８】
かかる具体例ではボックス形底部に容器を設置するので、この底部が圧力気密になるよう直接密閉され加圧源がこの底部に接続可能であり、また加圧媒体が上記開口を介して加圧室に導入される利点を与える。こうして容器を加圧源に接続することがとくに容易になり、さらに圧力気密の密閉が好適は方法で行われる利点がある。さらなる工夫で、本発明に係るアセンブリーは請求項４７の特徴を有する。
【００３９】
容器上の環状リングは構造的に簡単に、容器を底部に対して正しく位置させ且つシールする。これはまた容器と対応する底部を相互に最適に調整し謝ったアセンブリーができないようにする。さらなる利点は加圧室の壁を比較的剛性の少ない構造のものとなし、底部の壁部分に加圧室内の圧力蓄積をうけとめるに要する所望の剛性を与えうることである。その結果、かかる容器は比較的軽量のものとなし、比較的安価に容器を作ることが出来る。また底部は容器の冷却用に配置せられうる。環状エッジを特に加圧源の接続口の周りに隣接して位置せしめることにより比較的低い力が生じ、また外形ならびに容量の異なる容器が接続せられる利点が与えられる。
【００４０】
更にべつの工夫に於いて、本発明に係るアセンブリーは請求項４８の特徴を有する。
圧力源を容器の底からある距離の点に、好ましくは環状壁での比較的高いところに容器に接続するための少なくとも１つの開口を位置せしめると放出口の高さを該装置にたいし変えることなく、高さのことなる容器が同じ装置内に常に設置せられる利点がある。こうすると放出口と少なくとも１つの接続開口との距離は、容器が異なっても、またその直径が異なってもいずれの場合にも同じになるよう選択せられる。
【００４１】
更なる好ましい具体例に於いて、本発明に係るアセンブリーは請求項５１の特徴を有する。
【００４２】
キャップが壊さずには取り外せないように容器に固定されているので、キャップが容器の残りから分離されているか否かが常に定まっている。液出し手段の少なくとも一部、すくなくともその接続部分はキャップの下で容器内に閉じ込められ、密封シール手段を破って近ずけるに過ぎないから、容器内容物はこれが容器の外側特にキャップの外側で見えぬ限り手に入れられない。また、使用前キャップの下に閉じ込められている液出し手段は損傷並びに汚染から適当に保護され、容器内容物は汚染されたり悪影響を受けたりすることは無い。
【００４３】
さらなる工夫に於いて、本発明に係るアセンブリーは請求項５３の特徴を有する。
少なくとも部分的に可撓性のチューブ部が例えば貯蔵室の上でキャップの下に容易に蓄えられ、また使用の初めにキャップの開口を介してキャップの外に部分的に引き出される。そのためには、カバーを開口から単に取り外すだけで良い。所望により、チューブ部をカバー部に接続し、カバー部が除かれた時、適当なタッピング手段に接続のため、チューブ部の自由端がキャップの外の位置に引き出されるようにする。これに関し、カバー部には例えばロゴとか容器内容物の表示を印刷することが出来る。従って、チューブ部がこういったタッピング手段に組み合わされる時は、問題の容器の中身が何であるかが明瞭である利点が得られる。また、破りすてカバー部は広告機能を果たす。事実同じような機能を有するかみあわせ手段も別法でチューブ部に取り付け可能であり、それはキャップの下に常に残っていても自由に取り除かれてもかまわない。
【００４４】
本発明はさらに、好ましくは本発明に係るアセンブリー手段により飲料、特にビールを放出する方法にも関する。係る方法は請求項５７の特徴を有する。
【００４５】
係る方法は簡単且つ経済的方法で容器から一定量の飲料を放出する可能性を与え、しかも種々の加圧媒体が用いられる。
【００４６】
本発明はさらに本発明に係るアセンブリーあるいは方法に用いるに適した容器に関する。本発明に係るアセンブリー、方法、タッピング装置並びに容器の更に有利な具体例がサブクレームに記載されており、添付図を参照し以下説明されている。
【図面の簡単な説明】
【００４７】
【図１】本発明に係るアセンブリーの略図的な側断面図である。
【図２】請求項１に係るアセンブリーに用いられる容器の頂部末端の側断面図である。
【図３】図１に係るアセンブリーで用いられるはめ合わせ部の側断面図である。
【図４】本発明に係るアセンブリーに用いられるべつの具体例での容器の頂部末端の側断面図であり；
【図５】本発明に係るアセンブリーに用いられるさらに別の具体例での容器の略図的な側断面図である。
【図６】さらに別の具体例に係る飲料容器の頂部と略図的なタッピング装置の関連部分との略図的な側断面図である。
【図７】本発明に係るさらに別の具体例の飲料容器頂部とタッピング装置の関連部分との略図的な側断面図である。
【図８】使用前の飲料が充填されている状態での容器の側断面図である。
【図９】本発明に係る装置でタッピング装置に接続される用意のできたものを略図的に示す。
【図９Ａ】本発明に係る容器と共に使用せられる密閉装置を示す。
【図９Ｂ】本発明に係る容器のためのべつの具体例の密閉手段を示す。
【図９Ｃ】図９に係る装置のべつの具体例で膜がカバーエッジの下に固定去れているものを示す。
【図１０】図８に係る容器で空の状態にあり、外側に位置する圧力源に別法でカップリングさせたものの側断面図である。
【図１０Ａ】容器と内側に位置する圧力源との間でのカップリングをの有する図１０に係る装置を示す。
【図１１】キャップを部分的に破りすてた本発明に係る容器の頂部平面図である。
【図１２】本発明に係る装置のべつの具体例を示す。
【図１３】べつの具体例に係る本発明の容器の膜の頂部平面図である。
【図１４】第２の別の具体例に係る本発明の容器の側断面図である。
【図１５】さらに別の具体例に係る本発明の装置を示す。
【図１６】第３の具体例に係る本発明の容器の側断面図で、タッピング装置の容器を受け入れる部分の一部を略図的に示したものである。
【図１６Ａ】図１６のアセンブリーで用いられる二重壁フォイルバッグの３つの例示具体例を略図的に示したものである。
【図１６Ｂ】図１６のアセンブリーで用いられる二重壁フォイルバッグの３つの例示具体例を略図的に示したものである。
【図１６Ｃ】図１６のアセンブリーで用いられる二重壁フォイルバッグの３つの例示具体例を略図的に示したものである。
【発明を実施するための形態】
【００４８】
図１〜図７において、対応部分は対応参照番号が付され、また図８〜図１６Ｃにおいて、対応パーツも対応する参照番号が付されている。
【００４９】
図１に示されたアセンブリーはタッピング装置１とその中に設置された飲料容器３とからなる。図示せる具体例において、この飲料容器３は瓶形であり以下に規定されている。このタッピング装置１はボックス形第１部５と、それにピボット的に取り付けられ、開口側で第１部を閉鎖し得るカバー７とからなる。図１は実線で閉鎖状態を、また破線で開放状態を示すカバー７を示している。第１部５は飲料容器３を受け入れる空間（該空間は加圧室１１と称せられる）を規定する円周壁９からなる。加圧室１１の頂部末端にそって伸びているのは閉鎖手段１３で、これは後段に詳述する如く容器３の閉鎖部１５と共同で加圧室１１が少なくとも気密で液を通過させぬように閉鎖する。使用中、加圧室１１での圧力蓄積は容器３、加圧室１１の壁、閉鎖部１５ならびに閉鎖手段１３により完全に吸収される。そのためカバー７がこの圧力を吸収することが防止せられる。従って、カバー７の開閉は何の抵抗も危険性もなく実施せられ、またカバー７の閉鎖も小さな力を必要とするだけである。
【００５０】
第１部５の壁９に取り付けられているのはポンプ１７で、これは第１ライン１９を介して加圧媒体、図示せる具体例では大気、源と通じている。また第２ラインを介して、このポンプ１７は加圧室１１と通じ、上述の加圧媒体を加圧下に加圧室１１中にポンプ送りし得るようになっている。加圧ライン２３を介して、第２ライン２１は圧力調節器２５に接続され、それにより使用中に加圧室内の圧力が制御せられる。第２加圧ライン２７を介して、この圧力調節器２５はカバー７により操作せられる安全弁２９に接続されている。カバー７が開かれると安全弁２９は開放され、それにより加圧室１１内での爾後の圧力蓄積が防止されまたその中でのいかなる圧力蓄積も除かれ、使用者の安全性が増大する。また冷却手段３１が円周壁９内に設けられ、これは加圧室１１の壁並びにその中に供給せられる加圧媒体を介して、飲料容器３の冷却を与える。更に又、制御手段３３が円周壁９内に設けられ、これは少なくともポンプ１７、圧力制御器２５、冷却手段３１およびポンプスイッチ３４に接続され、カバー７が閉鎖される時ポンプ１７をスイッチオンし、カバー７が開放されつ時ポンプ１７をスイッチオフするようにカバー７で操作せられる。円周壁９は少なくとも熱的に絶縁され、その結果飲料容器３、少なくともその内容物はエネルギー的に有利に所望温度に保持されうる。 本発明に係るタッピング装置１は本願と同日付けのフイリップス エレクトロニクス社の出願に係るオランダ特許出願（発明の名称：飲料計量分配装置）により詳細に記載されている。
【００５１】
図１および図２に示された飲料容器３は瓶形でビールの如き飲料を入れるために設計されている。実際は他の炭酸飲料あるいは非炭酸飲料例えばレモネード、ソフトドリンクあるいはワインも係る飲料容器３に入れることが出来る。
【００５２】
この飲料容器３は好ましくは円筒状壁部分３５でその第１末端が底３７で閉鎖されているものからなる。底３７の反対側で、ショルダー部３９が円筒状壁部３５に接続し、このショルダー部は円筒状ネック部４１を含む。ネック部４１は計量分配口４３を覆い、この口４３を通じて飲料が導入されまた飲料容器３から飲料が取り出される。図２に示した容器３は好ましくはプラスチック例えばＰＥＴ（ポリエチレンテレフタレート）、ＰＢＴ（ポリブテンテレフタレート）あるいはＰＥＮ（ポリエチレンナフタレート）の如きポリエステルから吹き込み成形せられる。特にＰＥＮは気密性が大でビールの如き炭酸飲料を貯蔵する場合に重要で、有用性が大である。また、飲料容器３内の飲料の汚染ならびに悪化がそれにより防止せられる。飲料容器３は瓶形になるように吹き込み成形せられるのでシームが無く、そのため内圧が増大した場合の破壊が容易に防止せられる。実際には本発明に係る飲料容器３は別法であるいは別の物質から作ることも出来る。
【００５３】
ネック部４１の上に、計量分配口４３を覆つて、フイルム形密封シール膜４５が設けられ、一次キャップ４７でネック部４１の縦端縁上にクランプされている。この密封シール膜４５は少なくとも一時的に気密ならびに液体を通さぬように計量分配口４３をシールする。特に飲料容器３をビールとか類似の腐敗し易い飲料の容器として使用する場合これは有利である。というのは飲料の無菌的包装が可能であるからである。特に飲料容器３が比較的多量例えば２リットル以上収容される場合、飲料容器３に無菌的に飲料を充填し、飲料の滅菌操作を省略できるので有利である。このように大量の場合、容器内の飲料の滅菌には非常に時間がかかる。このように比較的大量の場合本発明により上記プラスチックから作られた飲料容器を使用すれば特に有利である。というのは、かかる容器が比較的軽量であり、その容積に比し面積が相対的に小さく、その結果容器材料の通気性に関する問題点が無いためである。こう言った利点は飲料容器の容積が大となる際により大となる。かかる容器は特にビールの場合に好適である。というのはその味ならびに組成が酸素の攻撃に非常に敏感だからである。一般にラガーはエールよりも酸素により敏感である。ラガーでは、腐敗限界としてのこの感受性は６ケ月で約１〜２ｐｐｍ（＝ｍｇ／ｌ）であり、それに対しエールではより大で、例えば同じ期間で上記数値の３倍あるいはそれ以上である。さらに、かかるパッケージはＣＯ２含量の高い、例えば３ｇ／ｋｇ より大きい飲料にも好適である。そのため、本発明に係るパッケージはＣＯ２含量が４．８〜５．４ｇ／ｋｇのラガービール（エールのＣＯ２含量は約３ｇ／ｋｇ）をつめるのに特に適している。本発明に係るパッケージは勿論エールあるいは他の飲料にも、また容器の圧縮度がより低い場合にも好適である。ネック部４１の周りには２つの円周エッジ４９、５１が重ねられて設けられている。適当なかぎ手段５３、例えば環状スナップエッジにより、一次キャップ４７が上方円周エッジ４９の後ろに固定され、締めつけエッジ５５が該円周エッジに沿って密封シール膜４５の上側に接触し、この膜をネック部４１の縦エッジに押しつけるようになっている。
【００５４】
一次キャップ４７は計量分配口４３を大きく覆う主面５７を有する。かぎ手段５３はこの主面から第１方向に伸びている。主面５７から第１のチューブ部５９が、かぎ手段５３から離れる方向に締めつけエッジ５５と調和して伸びている。第１チューブ部５９内で主面５７から同心的に伸びているのは第２チューブ部６１で、これは一次キャップ４７を通り抜けて連続開口６３を囲んでいる。第２チューブ部６１の主面５７から上の高さは、第１チューブ部５９の主面５７から上の高さより幾分低い。
【００５５】
一次キャップ４７の上にははめ合わせ部６５が設けられている。このようなはめ合わせ部が図３に示されている。
【００５６】
このはめ合わせ部６５は２次キャップ６７と計量分配装置６９からなる。２次キャップ６７は好ましくはプラスチックあるいは軽金属から作られ、中心に同じようなシェル形のバルジ７３を有するわん形のシェル部７１からなる。このシェル部７１の縦エッジに沿って中心バルジ７３から離れるように外方に伸びているのは円形圧締めエッジ７５で、これは少なくとも部分的にタッピング装置の圧締め手段１３と共同作業をする型締め部１５を構成する。シェル部７１の中心バルジ７３から遠ざかる側には実質的に円筒状の部位７７があり、その内側は非変形飲料容器３の円筒部３５の外側に密接に嵌合しうる。シェル部７１はショルダー部３９の一部にそって伸び、飲料容器３のネック部４１は中心バルジ７３内に収容せられる。中心バルジ７３の頂部末端から内方に伸びているのは円筒壁７９で、その自由縦エッジに沿って、内方に伸びる第２かぎ手段８１が設けられている。これら第２かぎ手段は、飲料容器のネック部４１の周りで第２の周エッジ５１の下とかみ合う。バルジ７３の頂面８３の中央には流路開口８５が設けられ、円筒壁７９と同心的に内方に伸びる密閉スリーブ８７により囲まれている。この密閉スリーブ８７は中心バルジ７３の頂面８３に隣接して位置する巾広い第１部８９と、切頭円錐形部９１を介してそれに接続する第２の比較的狭い部位９３を有する。相対的に広い第１部位８９は一次キャップ４７の第２チューブ部６１内に適切にフィットして、好ましくは幾分締めつけられてはめこまれるような外径を有している。密閉スリーブ８７の高さは大体、第２チューブ部６１の高さにつりあった高さである。
【００５７】
計量分配装置６９は筒状の第１カップリング部９５、第２筒状カップリング部９７及び接続部９９からなり、この接続部は２つのカップリング部を接続し、少なくとも幾分軟質で好ましくはホース状をしている。第１カップリング部９５は屈折しており、第１脚部１０１に接続部９９が固定されている。第２脚部１０３は密閉スリーブ８７の第２の相対的に狭い部位９３の内側に密閉的に押しつけられるような外径を有している。第２脚部１０３は密閉スリーブ８７内で、円筒壁７９の中心軸に平行した方向に、少なくとも飲料容器３の縦方向に動かせる。第２脚部１０３の自由端は幾分斜めに切断されていてややとがった先端１０５となっている。第１カップリング部９５の下方への移動中、即ち飲料容器３の方向への移動中に、先端１０５は密封シール膜４５中を通過し飲料容器３の内側と計量分配装置６９中に伸びるチャンネル１０７の間に自由な連絡が出来る。密封シール膜４５を介在させるため、ネック部４１と一次キャップ４７の間に少なくとも液体を通さない気密性が保たれ、また一方では一次キャップ４７の第２チューブ部６１と密閉スリーブ８７の広い第１部との間、また他方では密閉スリーブ８７の比較的狭い部位９３と第１カップリング部９５の第２脚部１０３の間に少なくとも液体を通さない気密性が保たれるので、飲料容器３から液体は計量分配チャンネル１０７を介して分配されるだけで、従って加圧室１１中には流れこまない。そのために飲料の無駄が防止され、またタッピング装置１の汚れが防止される。
【００５８】
第２カップリング部９７は同様に屈折素子からなり、その第１脚部１０９は第１カップリング部９５から離れた側の接続部９９の末端に組み合わされ、また第２脚部１１１は自由な計量分配口１１３を囲んでいる。第２カップリング部９７と一体に成形されあるいは少なくともそれに接続されているのはシールド形のエンゲージング素子１１５で、これにより第２カップリング部９７の操作が簡単になる。このエンゲージング素子１１５上には飲料容器の内容物のブランド名、ロゴ、表示、配達日あるいは使用満了日等のようなマークを付すことが出来る。後段に詳述する通り、エンゲージング素子１１５は常に使用中タッピング装置１の外側にあって上記の如き印字が外から目視出来るようにする。勿論、たとえばレリーフとか切り込みのようなべつの方法で確認手段をエンゲージング素子１１５上に設けることも可能である。
【００５９】
図２に示された状態では、外キャップ１１６が２次キャップ６７及び計量分配装置６９を覆つて設けられており、この外キャップは密閉エッジ７５の頂部側に押しつけられ少なくとも計量分配装置６９が外から汚染されることを防止している。
【００６０】
飲料容器３は下記の通りにタッピング装置の第１部５内に設置せられる。
飲料容器３はその底３７が加圧室１１の開放側の上になるように位置せしめられ、密閉エッジ７５が密閉手段１３の頂部側に接触するまで縦方向に押し下げられる。図示せる具体例では密閉手段１３は密閉セグメント１１７として設計されており、このセグメントはバネ圧に抗して水平面で外方に移行可能であり、最大限外側に移動した位置で、密閉エッジ７５を通過するに十分な大きさの通路開口を規定する。このセグメント１１７の内側に面する末端には内方に傾斜した頂面１１９があり、密閉エッジ７５により垂直圧が加わるとセグメント１１７は外方に移動し密閉エッジ７５が通過可能となる。密閉エッジがセグメント１１７を通過した後、セグメント１１７はバネ圧によりその出発位置へと押し戻され、飲料容器３を加圧室１１内に包囲する。加圧室１１が加圧されていない時飲料容器３の全体はその外側が幾分の空間で囲まれ、飲料容器３の底３７は加圧室１１の底１２１上に立っている。従って密閉エッジ７５の頂部側とセグメン１１７の底側の間には幾分かの空隙が存在する。円周壁９と密閉エッジ７５の間に含まれているのはシーリング部１２３でこれはわずかにＶ形をしている。このシーリング部１２３の開放側は加圧室１１のほうに面しており、従って加圧室内に圧力が蓄積する間、シーリング部１２３のシーリング作用は増大する。
【００６１】
飲料容器３が上述の如く加圧室１１中に挿入されたあと、はめ合わせ部６５は実質的に加圧室１１の外側に伸び、エンゲージング素子１１５が少なくとも加圧室１１の外側からかみ合わされる。
【００６２】
円周壁９の頂部側からささえ部１２５がタッピング装置１の片側上で大体水平に伸び、このささえ部はその底側から大体垂直に伸びるチューブ部１２７を含む。ささえ部１２５とチューブ部１２７を通つて通路が伸びその中で第２カップリング部９７の第２脚部１１１が適当な適合性でそれに隣接する計量分配口１１３、好ましくはチューブ部１２７の自由端外側に受け入れられる。エンゲージング素子１１５はこの通路内での第２脚部１１１の位置決めを特に簡単な方法で可能にする。この状態で接続部９９はささえ部１２５頂面上で、多分そこに設けられた溝の中で大体水平に伸びる。
【００６３】
ピボット１２９により、カバー７はタッピング装置１の第１部５に、縦壁９のささえ部１２５から離れた頂部末端側に接続せられる。使用中にチューブ部１２７に体面するカバーの側面にはカバー７中に操作ハンドル１３１が含まれ、この操作ハンドル１３１は大体垂直な位置と傾斜位置の間を動くことが可能である。カバー７中に組み込まれている操作ハンドル１３１の末端には偏心器が設けられこれが接続部９９に押しつけられている。操作ハンドルが図１に示される如く縦位置にある際には、この接続部９９は偏心器１３３によりより押し閉じられ、チャンネル１０７は閉鎖せられる。操作ハンドル１３１を傾斜位置に動かすと、接続部９９は少なくとも部分的に偏心器１３３により開放され、従って接続部は少なくとも部分的にもとの形に回復し、チャンネル１０７は少なくとも部分的に開放されて飲料が飲料容器３から流出するようになる。簡単なそれ自体周知のロック手段（図示なし）によりカバー７は閉鎖位置に固定され得る。
【００６４】
飲料容器３をタッピング装置１の第１部５中に位置せしめる間、第１カップリング部９５は最上位置、図２に示される如く密封シール膜４５より完全に上の位置にある。カバー７が閉じられた時、第１カップリング部９５は押し下げられ、あるいは少なくとも保持され、第１カプリング部９５は上に動くことが出米ない。またカバー７が閉じられると、ポンプスイッチ３３が作動せられ、それによりポンプ１７が作用し、また安全弁２９が閉じられ加圧媒体例えば外部空気がその中にポンプ送りされて加圧室１１内に圧力が蓄積せられるようになる。実際には別の加圧媒体例えば水あるいは炭酸を用いることも出来る。使用中に加圧媒体が飲料容器３内の飲料に接触することは無いので、係る加圧媒体が飲料の品質に影響することは無い。
【００６５】
加圧室１１に圧力が蓄積される間、これはカバー７が閉じられているときだけ可能、飲料容器３は閉鎖セグメント１１７の方向に持ち上げられる。このようにして、加圧室１１の最適のシーリングが得られる。またこの縦方向移動の間、第１カップリング部９５の先端１０５は密封シール膜４５を押し通り飲料容器３からチャンネル１０７へと飲料が供給されるようになる。これは操作ハンドル１３１が縦位置から動かされる時、飲料が分配チャンネル１０７並びに計量分配口１１３を介して放出され、従って例えばグラスビールを注ぎ出すことが出来ることを意味する。タッピング装置の底側、分配口１１３の下に隣接して分配口１１３からこぼれる飲料を受け止めるためせん受け１３５が配置されている。これで周囲の汚れがさらに防止せられる。
【００６６】
使用中、加圧室１１内の圧力はポンプ１７により増大せしめられ、飲料容器３の容積を減らすため飲料容器３の壁が圧縮され、飲料はチャンネル１０７及び分配口１１３を介して流出せしめられる。驚くべきことに、加圧室１１内の圧力でプラスチック製飲料容器は完全に圧縮され実質的に全ての飲料が上記方法で飲料容器３から流出せしめられることが見いだされた。はめ合わせ部６５はそのネック部４１から比較的離れて位置する密閉エッジ７５でセグメント１１７の下に締めつけられ、またこのはめ合わせ部は一次キャップ４７を介してネック部４１に接続されているので、飲料容器３全体が二次キャップ６７内で変形され、飲料容器３のショルダー部３９の変形も可能であるようにすることが出来る。
【００６７】
この取り付け法の別の利点は二次キャップ６７を比較的剛性の設計になし、飲料容器３は比較的軟質設計になし得る点で、いずれの場合にも二次キャップ６７が加圧室の適当なシーリングを与え続けるようにすることが出来る。このことははめ合わせ部６５に対しての飲料容器３の変形あるいは置換が加圧室１１のシーリングに影響を及ぼさないことを意味する。このはめ合わせ部６５、特に密封シール膜４５ならびに第１カップリング部９５の構造は、飲料容器が開けられる前に飲料容器３が加圧室１１に位置せしめられ、ポンプ１７がスイッチオンされると加圧室１１の最適密閉が得られ、同時に飲料容器３が開けられるという利点を与える。ここではめ合わせ部６５は加圧室１１の壁の少なくとも一部をなし、従ってタッピング装置１内に飲料容器３が無い場合には加圧室での圧力増大はあり得ない。これは使用者の安全のため特に重要である。また加圧室１１の外側から第１カップリング部９５の先端１０５を操作することが出来る。密閉エッジ７５は液出し口４３から比較的遠く離れているので密閉部１７と密閉手段１３の間のシーリング作用が悪影響を受けることなくはめ合わせ部６５に比較的大きな許容度を与え、液出し口４３は常に最適位置におかれる。事実比較的大きな許容度での変形がはめ合わせ部６５の変形により与えられる。これは密閉手段１３が簡単で且つ比較的軽い構造のものと成しうることを意味する。
【００６８】
はめ合わせ部６５とそれと共同作用するタッピング装置１の第１部５はまた、飲料容器３が縦にタッピング装置内に挿入され、且つカバー７はタッピング装置の円周壁９にピボットで接続されるとの利点を与える。これで更に飲料容器３の挿入並びにカバー７の位置決めが簡単になる。空になった飲料容器３を取り除くため、はめ合わせ部６５が空になった飲料容器３と一緒に除かれるようにセグメント１１７を外方に移動させるための機械的手段を設けることが出来る。セグメン１１７上での密閉圧はセグメン１１７のばねの働く方向に大体直角に働くから、セグメン１１７の偏りは比較的少なく、従って比較的簡単にこのような外方調節が可能である。飲料容器３が完全に空になった時、加圧室１１内の圧力を低下させ、例えばポンプ１７により低下させ、その後カバー７を開き圧縮された飲料容器３をはめ合わせ部６５と一緒にタッピング装置から取り外し、例えば適当な再生装置へと放棄する。飲料容器３ははめ合わせ部６５と共に殆ど完全に圧縮されているので、本発明に係る空の飲料容器３はごく僅かな空間しか占めず輸送の点で有利である。
【００６９】
図４は図１のタッピング装置１で使用される本発明に係る飲料容器２０３の頂部末端のべつの具体例を示す。対応する部分には２００を加えて対応する参照番号が付されている。
【００７０】
この具体例では密閉エッジ２７５が飲料容器２０３のショルダー部２３９の底部末端に固定されている。この密閉エッジ２７５は好ましくは飲料容器２０３と一体に成形されている。この具体例では一次キャップ２４７が設けられ、その構造は図２に示された一次キャップ４７と大体対応している。しかしながらこの具体例では第２チューブ部２６１の少なくとも部分的な内部断面が、第２チューブ部２６１が第１カップリング部２９５の第２脚部３０３に密着し押しつけられて導かれるような断面となっている。この具体例は構造的に比較的簡単であるが、少なくともその密閉エッジ２７５は使用中に変形しないように剛性構造あるいはごく僅かな程度に剛直で加圧室２１１の十分なシーリングを保つものでなくてはならない。
【００７１】
密閉エッジ２７５は容器の比較的下の位置に、例えばその中心に配置し、ロック手段３１７も低い位置に配置することが出来る。容器２０３が圧縮されると密閉エッジ２７５の下に伸びている容器のＡ部分は図４に破線で示される如く上方内側に圧縮される。容器２０３の底部Ａの円筒壁が容器の上部Ｂの円筒壁部分に対して内側に凹むため底部Ａ全体が上部Ｂ中に押し入れられ飲料が飲料容器２０３から押し出されることを保証するとの利点が得られる。この具体例において、底部Ａの圧縮性はその内側方向への剛性が比較的低いために最適に達成され、また容器の内圧下でショルダー２３９が変形しない点が最適に利用せられる。その結果密閉エッジ２７５は比較的簡単にロック手段３１７と接触保持せられる。容器２０３は図４に示されているものよりはもっと長いことが理解されよう。またこの具体例で密閉エッジを比較的高い位置に設け、容器を上記の如く圧縮しあるいは本願に記載せるものとは別の膜あるいは分離あるいは移動手段を設けることも可能であることが理解されよう。
【００７２】
図５は本発明に係るタッピング装置１で使用せられる更に別の具体例に係る飲料容器４０３を示しており、この容器は加圧室内の圧力の影響下で実質的に変形しない材料から作られている。対応する部分には４００を加えて対応する参照番号が付されている。かかる飲料容器は例えば金属から実質的に作られている。飲料容器には膜４４４が設けられ、その縦エッジは底４３７とネック部４４１の間で飲料容器４０３の壁４３５に接続されている。この膜４４４は図５に示される如く第１位置で壁４３５の底部及び飲料容器４０３のそこ４３７に接触するよう柔軟性である。膜４４４は飲料容器４０３をこの膜４４４と底４３７の間に位置する加圧室４４６と膜４４４とネック部４４１の間に位置する貯蔵室４４８に分けている。飲料容器４０３が図５に示される如く完全に充填されているときは膜４４４は底４３７に接触している。底４３７には圧力口４５０が設けられており、これは好ましくは加圧室４４６と大気の間の開放連絡路をなしている。従って、図５に示されている如く飲料容器４０３が本発明に係るタッピング装置１内に挿入された時加圧室１１は圧力口４５０を介して飲料容器４０３内の圧力室４４６と直接連絡している。タッピング装置１での圧力が増大した場合加圧媒体の一部は加圧室１１から圧力室４４６中に流れ込み、膜がネック部４４１の方に移動せられる。従って貯蔵室４４８の内容物は現象し接続部４９９内のチャンネル５０７が開放せられると飲料がタッピング装置１から放出せられる。この膜４４４は、圧力室４４６の容量が最大で貯蔵室４４８の容量が最小、好ましくは零になるよう移動しうる。従ってこのようにして貯蔵室４４８が完全に空になされる。飲料容器４０３は図２あるいは図４に示されたように構成することが出来る。構造的には、少なくとも膜のデザイン並びに位置決めにかんする限り図５の飲料容器は図８〜図１６Ｃにより詳細に記載されている。膜バレルと称せられるかかる飲料容器４０３は何で緒も使用が可能であり環境保護の点から優れている利点を有する。また輸送並びに貯蔵中に変形可能部分、特に膜が飲料容器の壁で保護されているので、飲料容器の損傷が容易に回避せられる。
【００７３】
図６は本発明に係る装置の更に別の具体例を示し、この装置は図１に示されたタッピング装置１に対比しうるタッピング装置５０１内に収容せられる飲料容器５０３を含む。タッピング装置５０１は特に壁５０９は本発明を理解しうる程度に於いて略図的に示されている。飲料容器５０３は直立円筒状縦壁５３５とショルダー部５３９を含み、縦壁５３５は垂直壁部５００によりショルダー部５３９に接続されており、この壁部５００は円筒壁５３５に対して幾分外方に転置され飲料容器５０３の周囲を回って伸びている。
【００７４】
垂直部５００の底側は壁５０９の外方に伸びるフランジ部５１２の上に寝かされ、飲料容器が図示せる位置から下に動かないようになっている。フランジ部５１２の上に設けられているのは円形リング５１４でこのものは例えばゴムの如き幾分柔軟性の材料から作られその内側には上部円形リップ５１６と下部円形リップ５１８が設けられ、これらリップの間に加圧室５２０が作られる。使用中、上部リップ５１６と下部リップ５１８は弾性的に変形されて縦壁部分５００の外側に押しつけられ室５２０を密閉シールする。縦壁部５２２には少なくとも１つ、好ましくは一連の開口５２２が設けられ、飲料容器５０３の内側を加圧室５２０に接続する。供給ライン５２１を介し、加圧室５２０には開口５１９から供給用のポンプ５１７で空気あるいは他の圧力媒体が供給せられる。リング５１４の上に設けられているのは該リングを形状保持すべく閉じ込める補強セクション５２４である。図６に示された具体例ではフォイルから作られた比較的弾力性の、少なくとも変形可能なバッグ５４４が飲料容器５０３中に含まれ、このバッグは液出し口４３に隣接して懸垂され、少なくとも取り付けられている。この点は後段により詳細に説明する。変形可能なバッグ５４４の代わりに上述せる型の変形可能瓶を図６の具体例で使用することも出来る。バッグあるいは瓶５４４の壁は上記理由から実質的に酸素を通過させないことが好ましい。また酸素不透過性でなくてもよい場合あるいはある程度の不透過性であれば良い場合には容器の壁は薄くしまた比較的安価な材質のものとすることが有利である。しかしながら容器の壁が酸素不透過性のものである場合には貯蔵室内の飲料のより良好な保存が達成せられる。所望により、容器は区切り付きの設計となし図５に示したような膜をもつ上記具体例の様にバッグあるいは瓶５４４を変更することが出来る。
【００７５】
図６に略図的に示された具体例に於いて、加圧媒体は使用時に開口５２２を通じて飲料容器の内部空間、バッグ５４４と縦壁５３５の間に供給せられる。こうしてバッグが圧縮されその間になかの飲料が流出せしめられる。通路口５２２がショルダー部に隣接して設けられているので、飲料容器５０３はタッピング装置５０１内に入る限り任意の長さとすることが出来る。これは同じタッピング装置で種々のサイズの飲料容器が使用できることを意味する。使用中、過剰圧が加圧室５２０内に作られ、それにより上部リップ５１６と下部リップ５１８が動き飲料容器の垂直壁部分５００に非常に強く押しつけられ、従って極めて良好なシールが得られ、さらに極めて簡単に変形が行われる。
【００７６】
図６に示した具体例に於いて、円筒状ネック部５４１がショルダー部５３９の頂部末端に接続している。このネック部５４１には接続スリーブ５５２が滑動的に取り付けられており、その下方ストロークはネック部５４１の底側に隣接して内方に伸びる隆起エッジ５５１で、それにたいし接続スリーブ５５２の第１フランジ５５８がうちあたつて制限せられる。接続スリーブ５５２の上に、第１フランジ５５８からある距離だけ下に第２フランジ５５４が設けられ、その上にバッグ５４４が密着して取り付けられている。第１フランジ５５８及び第２フランジ５５４はバッグ５４４の液出し口を規定する円筒壁５５６に対して直角に伸びている。この円筒壁５５６上にはフイルム状の封鎖シール手段５４５が密閉状に設けられている。この密封シール手段は２つのフランジに平行して水平に伸びている。密封シール手段５４５の上で、円筒状の縦壁５５６は縦壁５５６ａに続き、その頂部末端５６０で柔軟性の弾性膜５６２に接続し、この膜は円形で、ネック部５４１の頂部末端に固着された外方の縦エッジを有している。膜５６２の中心には屈折した接続部５９５がその中を通り抜けており、これは図１に示された第１カップリング部９５に対応するものである。このカップリング部に接続されているのは上述のタッピング手段にカップリングするための接続ホース５９９である。カップリング部５９５は一次キャップ５４７に固定され、該キャップはリッジ５４９の下の縦エッジによりネック部５４１上に固定されている。一次キャップ５４７は弾性膜５６２の上に伸びる閉じた頂面５６４を含む。接続スリーブ５５２の円筒状壁５５６の上で、頂面５６４は上方に曲げられ、その結果接続スリーブが最も下方位置になった時、膜５６２と頂面５６４の底側の間に空間が明確に出来る。膜５４５に面するカップリング部の末端は尖鋭である。
【００７７】
図６に係るアセンブリーは下記の通り使用せられる。
ポンプ５１７により加圧媒体が加圧室５２０を介して容器５０３のバッグ５４４と壁５３５の間の加圧空間５１１に導入され、バッグ５４４内に圧力が蓄積せられる。従って接続スリーブ５５２はフランジ５５８上に働く圧力により上方へと押し上げられる。この時、弾性膜は頂面５６４の底側に逆らって上方に持ち上がり、カップリング部５９５の鋭い先端はフイルム５４５中に押し込まれ、それによりライン５９９の通路がバッグ５４４の内部空間へと開かれる。膜５６２及び一次キャップ５４７、特にその頂面５６４はネック部５４１の気密で液体を通さないシールを与える。本発明にかかるアセンブリーのかかる具体例はとくに使用が簡単である。
【００７８】
図７は例えば図１に示されたようなタッピング装置６０１内に位置せしめられる本発明に係る飲料容器６０３の少なくとも頂部のさらに別の具体例を示すものである。タッピング装置６０１と飲料容器６０３のうち、本具体例を適当に理解するに十分な部分のみを略図的に示してある。他の部分は既に詳述せる通りである。
【００７９】
図７の具体例に於いて、はめ合わせ部６６５は２片構造になっており、第１の中心部６６６は飲料容器に固定されており、また第２の環状部６６８は使用中タッピング装置６０１の壁６０９に隣接して位置し、タッピング装置に緩く固定されあるいは例えばピボット接続され飲料容器を覆い接している。液出し口に隣接し第１の中心部６６６は上述せる方法の１つで、例えば一次キャップ及び二次キャップを用いて瓶型の飲料容器６０３に接続されている。外側縦エッジに沿って、第１部６６６は下方に伸びる縦エッジ６７０を有し、その底エッジから第２の縦エッジ６７２が下方に傾斜し外方へと伸びている。環状第２部６６８にはその内側縦エッジに沿って、密閉部６７４が設けられこれが縦エッジ６７０及び６７２に密封的に押しつけられている。部位６７４から傾斜面６７６が外方下側に第２シール部６７８まで伸び、該面は第２部６６８の外側縦エッジから外側に伸びてタッピング装置６０１の縦壁６０９の内側に押しつけられている。図７には示されていないが、例えば図１に示される様なロック手段によりはめ合わせ部６６５は第２部６６８の頂部側とかみ合ってタッピング装置６０１内に保持される。
【００８０】
中心部６６６の上に外側キャップ７１６が弾性突起６８０により液出し手段を覆つて固定され、この突起は第１部６６６に接続され外側キャップ中の開口を通りぬけて伸びている。はめ合わせ部６６５の第２部６６８を所定位置に位置せしめている間に、弾性突起６８０を第２部６６８上の弾性エッジ６８２により内側に押し入れて、外側キャップ７１６上をスライドさせ、外側キャップ７１６をはずす。このようにして、タッピング装置６０１内に位置せしめる時、飲料容器６０３は外側キャップ７１６と脱落なしに組み合わされうる利点がある。結局弾性突起６８０によりそれが保持される。こうして飲料容器６０３の設置時の取り扱いが容易に実施可能である。また、設置時に外側キャップ７１６により保護されているので、液出し手段は外側キャップ７１６により保護されているので、この液出し手段、特に穴抜き手段が早まって作動されることが防止される。飲料容器６０３がはめ合わせ部６６５の第２部６６８とロック手段７１７によりタッピング装置内に固定されて始めて、外側キャップ７１６は取り外し可能で接続手段は上述の如く位置せしめられタッピング装置６０１のカバーが閉じられる。これで飲料容器の衛生的並びに安全な設置が可能である。飲料容器上の外側キャップの固定手段はほんの略図的に示されているが勿論おおくの他の適当な方法に構成せしめられる。はめ合わせ部６６５の２部構成は飲料容器に接続されたままの第１部６６６が比較的簡単、軽量、安価な設計とされ、飲料容器と共に取り除かれ、他方第２部６６８は適当な材料ならびにデザインを選択することにより繰り返し使用しうるようになしうる利点がある。かかる具体例は飲料容器を完全にあるいは部分的に廃棄可能な型のものとする際に環境上の利点をゆうする。
【００８１】
本発明に係る飲料容器３、２０３、４０３、５０３、６０３、７０１、８０１、９０１は液出し手段が飲料容器と共に供給され、またそれと共に廃棄されうる利点を有する。このことは使用中に、飲料容器からの飲料がタッピング装置１で液出し手段以外のたの部分とは接触しないことを意味する。このように、タッピング装置の汚染は簡単に防止され、従って飲料容器の交換時に洗浄する操作が省略され得る。このことは使用者に喜ばしいことであり洗浄剤使用の必要性が回避される。また、交換さるべき容器の内容物が設置される新しい容器のものとことなる場合、飲料容器交換時に味の諸問題がおこることを避けることができる。このものの更なる利点はシールド形素子と飲料容器の内容物の直接的関連が存在するので、タッピング装置から如何なる型の飲料が出るのか使用者には常に明らかである点である。従って誤認は容易に回避せられる。勿論少なくとも一部の液出し手段は再利用に適している。
【００８２】
はめ合わせ部６５とそれと共同作用するタッピング装置１の第１部５はまた、飲料容器３が縦にタッピング装置内に挿入され、且つカバー７はタッピング装置の円周壁９にピボットで接続されるとの利点を与える。これで更に飲料容器３の挿入並びにカバー７の位置決めが簡単になる。空になった飲料容器３を取り除くため、はめ合わせ部６５が空になった飲料容器３と一緒に除かれるようにセグメント１１７を外方に移動させるための機械的手段を設けることが出来る。セグメン１１７上での密閉圧はセグメン１１７のばねの働く方向に大体直角に働くから、セグメン１１７の偏りは比較的少なく、従って比較的簡単にこのような外方調節が可能である。飲料容器３が完全に空になった時、加圧室１１内の圧力を低下させ、例えばポンプ１７により低下させ、その後カバー７を開き圧縮された飲料容器３をはめ合わせ部６５と一緒にタッピング装置から取り外し、例えば適当な再生装置へと放棄する。飲料容器３ははめ合わせ部６５と共に殆ど完全に圧縮されているので、本発明に係る空の飲料容器３はごく僅かな空間しか占めず輸送の点で有利である。
【００８３】
図４は図１のタッピング装置１で使用される本発明に係る飲料容器２０３の頂部末端のべつの具体例を示す。対応する部分には２００を加えて対応する参照番号が付されている。
【００８４】
この具体例では密閉エッジ２７５が飲料容器２０３のショルダー部２３９の底部末端に固定されている。この密閉エッジ２７５は好ましくは飲料容器２０３と一体に成形されている。この具体例では一次キャップ２４７が設けられ、その構造は図２に示された一次キャップ４７と大体対応している。しかしながらこの具体例では第２チューブ部２６１の少なくとも部分的な内部断面が、第２チューブ部２６１が第１カップリング部２９５の第２脚部３０３に密着し押しつけられて導かれるような断面となっている。この具体例は構造的に比較的簡単であるが、少なくともその密閉エッジ２７５は使用中に変形しないように剛性構造あるいはごく僅かな程度に剛直で加圧室２１１の十分なシーリングを保つものでなくてはならない。
【００８５】
密閉エッジ２７５は容器の比較的下の位置に、例えばその中心に配置し、ロック手段３１７も低い位置に配置することが出来る。容器２０３が圧縮されると密閉エッジ２７５の下に伸びている容器のＡ部分は図４に破線で示される如く上方内側に圧縮される。容器２０３の底部Ａの円筒壁が容器の上部Ｂの円筒壁部分に対して内側に凹むため底部Ａ全体が上部Ｂ中に押し入れられ飲料が飲料容器２０３から押し出されることを保証するとの利点が得られる。この具体例において、底部Ａの圧縮性はその内側方向への剛性が比較的低いために最適に達成され、また容器の内圧下でショルダー２３９が変形しない点が最適に利用せられる。その結果密閉エッジ２７５は比較的簡単にロック手段３１７と接触保持せられる。容器２０３は図４に示されているものよりはもっと長いことが理解されよう。またこの具体例で密閉エッジを比較的高い位置に設け、容器を上記の如く圧縮しあるいは本願に記載せるものとは別の膜あるいは分離あるいは移動手段を設けることも可能であることが理解されよう。
【００８６】
図５は本発明に係るタッピング装置１で使用せられる更に別の具体例に係る飲料容器４０３を示しており、この容器は加圧室内の圧力の影響下で実質的に変形しない材料から作られている。対応する部分には４００を加えて対応する参照番号が付されている。かかる飲料容器は例えば金属から実質的に作られている。飲料容器には膜４４４が設けられ、その縦エッジは底４３７とネック部４４１の間で飲料容器４０３の壁４３５に接続されている。この膜４４４は図５に示される如く第１位置で壁４３５の底部及び飲料容器４０３のそこ４３７に接触するよう柔軟性である。膜４４４は飲料容器４０３をこの膜４４４と底４３７の間に位置する加圧室４４６と膜４４４とネック部４４１の間に位置する貯蔵室４４８に分けている。飲料容器４０３が図５に示される如く完全に充填されているときは膜４４４は底４３７に接触している。底４３７には圧力口４５０が設けられており、これは好ましくは加圧室４４６と大気の間の開放連絡路をなしている。従って、図５に示されている如く飲料容器４０３が本発明に係るタッピング装置１内に挿入された時加圧室１１は圧力口４５０を介して飲料容器４０３内の圧力室４４６と直接連絡している。タッピング装置１での圧力が増大した場合加圧媒体の一部は加圧室１１から圧力室４４６中に流れ込み、膜がネック部４４１の方に移動せられる。従って貯蔵室４４８の内容物は現象し接続部４９９内のチャンネル５０７が開放せられると飲料がタッピング装置１から放出せられる。この膜４４４は、圧力室４４６の容量が最大で貯蔵室４４８の容量が最小、好ましくは零になるよう移動しうる。従ってこのようにして貯蔵室４４８が完全に空になされる。飲料容器４０３は図２あるいは図４に示されたように構成することが出来る。構造的には、少なくとも膜のデザイン並びに位置決めにかんする限り図５の飲料容器は図８〜図１６Ｃにより詳細に記載されている。膜バレルと称せられるかかる飲料容器４０３は何で緒も使用が可能であり環境保護の点から優れている利点を有する。また輸送並びに貯蔵中に変形可能部分、特に膜が飲料容器の壁で保護されているので、飲料容器の損傷が容易に回避せられる。
【００８７】
図６は本発明に係る装置の更に別の具体例を示し、この装置は図１に示されたタッピング装置１に対比しうるタッピング装置５０１内に収容せられる飲料容器５０３を含む。タッピング装置５０１は特に壁５０９は本発明を理解しうる程度に於いて略図的に示されている。飲料容器５０３は直立円筒状縦壁５３５とショルダー部５３９を含み、縦壁５３５は垂直壁部５００によりショルダー部５３９に接続されており、この壁部５００は円筒壁５３５に対して幾分外方に転置され飲料容器５０３の周囲を回って伸びている。
【００８８】
垂直部５００の底側は壁５０９の外方に伸びるフランジ部５１２の上に寝かされ、飲料容器が図示せる位置から下に動かないようになっている。フランジ部５１２の上に設けられているのは円形リング５１４でこのものは例えばゴムの如き幾分柔軟性の材料から作られその内側には上部円形リップ５１６と下部円形リップ５１８が設けられ、これらリップの間に加圧室５２０が作られる。使用中、上部リップ５１６と下部リップ５１８は弾性的に変形されて縦壁部分５００の外側に押しつけられ室５２０を密閉シールする。縦壁部５２２には少なくとも１つ、好ましくは一連の開口５２２が設けられ、飲料容器５０３の内側を加圧室５２０に接続する。供給ライン５２１を介し、加圧室５２０には開口５１９から供給用のポンプ５１７で空気あるいは他の圧力媒体が供給せられる。リング５１４の上に設けられているのは該リングを形状保持すべく閉じ込める補強セクション５２４である。図６に示された具体例ではフォイルから作られた比較的弾力性の、少なくとも変形可能なバッグ５４４が飲料容器５０３中に含まれ、このバッグは液出し口４３に隣接して懸垂され、少なくとも取り付けられている。この点は後段により詳細に説明する。変形可能なバッグ５４４の代わりに上述せる型の変形可能瓶を図６の具体例で使用することも出来る。バッグあるいは瓶５４４の壁は上記理由から実質的に酸素を通過させないことが好ましい。また酸素不透過性でなくてもよい場合あるいはある程度の不透過性であれば良い場合には容器の壁は薄くしまた比較的安価な材質のものとすることが有利である。しかしながら容器の壁が酸素不透過性のものである場合には貯蔵室内の飲料のより良好な保存が達成せられる。所望により、容器は区切り付きの設計となし図５に示したような膜をもつ上記具体例の様にバッグあるいは瓶５４４を変更することが出来る。
【００８９】
図６に略図的に示された具体例に於いて、加圧媒体は使用時に開口５２２を通じて飲料容器の内部空間、バッグ５４４と縦壁５３５の間に供給せられる。こうしてバッグが圧縮されその間になかの飲料が流出せしめられる。通路口５２２がショルダー部に隣接して設けられているので、飲料容器５０３はタッピング装置５０１内に入る限り任意の長さとすることが出来る。これは同じタッピング装置で種々のサイズの飲料容器が使用できることを意味する。使用中、過剰圧が加圧室５２０内に作られ、それにより上部リップ５１６と下部リップ５１８が動き飲料容器の垂直壁部分５００に非常に強く押しつけられ、従って極めて良好なシールが得られ、さらに極めて簡単に変形が行われる。
【００９０】
図６に示した具体例に於いて、円筒状ネック部５４１がショルダー部５３９の頂部末端に接続している。このネック部５４１には接続スリーブ５５２が滑動的に取り付けられており、その下方ストロークはネック部５４１の底側に隣接して内方に伸びる隆起エッジ５５１で、それにたいし接続スリーブ５５２の第１フランジ５５８がうちあたつて制限せられる。接続スリーブ５５２の上に、第１フランジ５５８からある距離だけ下に第２フランジ５５４が設けられ、その上にバッグ５４４が密着して取り付けられている。第１フランジ５５８及び第２フランジ５５４はバッグ５４４の液出し口を規定する円筒壁５５６に対して直角に伸びている。この円筒壁５５６上にはフイルム状の封鎖シール手段５４５が密閉状に設けられている。この密封シール手段は２つのフランジに平行して水平に伸びている。密封シール手段５４５の上で、円筒状の縦壁５５６は縦壁５５６ａに続き、その頂部末端５６０で柔軟性の弾性膜５６２に接続し、この膜は円形で、ネック部５４１の頂部末端に固着された外方の縦エッジを有している。膜５６２の中心には屈折した接続部５９５がその中を通り抜けており、これは図１に示された第１カップリング部９５に対応するものである。このカップリング部に接続されているのは上述のタッピング手段にカップリングするための接続ホース５９９である。カップリング部５９５は一次キャップ５４７に固定され、該キャップはリッジ５４９の下の縦エッジによりネック部５４１上に固定されている。一次キャップ５４７は弾性膜５６２の上に伸びる閉じた頂面５６４を含む。接続スリーブ５５２の円筒状壁５５６の上で、頂面５６４は上方に曲げられ、その結果接続スリーブが最も下方位置になった時、膜５６２と頂面５６４の底側の間に空間が明確に出来る。膜５４５に面するカップリング部の末端は尖鋭である。
【００９１】
図６に係るアセンブリーは下記の通り使用せられる。
ポンプ５１７により加圧媒体が加圧室５２０を介して容器５０３のバッグ５４４と壁５３５の間の加圧空間５１１に導入され、バッグ５４４内に圧力が蓄積せられる。従って接続スリーブ５５２はフランジ５５８上に働く圧力により上方へと押し上げられる。この時、弾性膜は頂面５６４の底側に逆らって上方に持ち上がり、カップリング部５９５の鋭い先端はフイルム５４５中に押し込まれ、それによりライン５９９の通路がバッグ５４４の内部空間へと開かれる。膜５６２及び一次キャップ５４７、特にその頂面５６４はネック部５４１の気密で液体を通さないシールを与える。本発明にかかるアセンブリーのかかる具体例はとくに使用が簡単である。
【００９２】
図７は例えば図１に示されたようなタッピング装置６０１内に位置せしめられる本発明に係る飲料容器６０３の少なくとも頂部のさらに別の具体例を示すものである。タッピング装置６０１と飲料容器６０３のうち、本具体例を適当に理解するに十分な部分のみを略図的に示してある。他の部分は既に詳述せる通りである。
【００９３】
図７の具体例に於いて、はめ合わせ部６６５は２片構造になっており、第１の中心部６６６は飲料容器に固定されており、また第２の環状部６６８は使用中タッピング装置６０１の壁６０９に隣接して位置し、タッピング装置に緩く固定されあるいは例えばピボット接続され飲料容器を覆い接している。液出し口に隣接し第１の中心部６６６は上述せる方法の１つで、例えば一次キャップ及び二次キャップを用いて瓶型の飲料容器６０３に接続されている。外側縦エッジに沿って、第１部６６６は下方に伸びる縦エッジ６７０を有し、その底エッジから第２の縦エッジ６７２が下方に傾斜し外方へと伸びている。環状第２部６６８にはその内側縦エッジに沿って、密閉部６７４が設けられこれが縦エッジ６７０及び６７２に密封的に押しつけられている。部位６７４から傾斜面６７６が外方下側に第２シール部６７８まで伸び、該面は第２部６６８の外側縦エッジから外側に伸びてタッピング装置６０１の縦壁６０９の内側に押しつけられている。図７には示されていないが、例えば図１に示される様なロック手段によりはめ合わせ部６６５は第２部６６８の頂部側とかみ合ってタッピング装置６０１内に保持される。
【００９４】
中心部６６６の上に外側キャップ７１６が弾性突起６８０により液出し手段を覆つて固定され、この突起は第１部６６６に接続され外側キャップ中の開口を通りぬけて伸びている。はめ合わせ部６６５の第２部６６８を所定位置に位置せしめている間に、弾性突起６８０を第２部６６８上の弾性エッジ６８２により内側に押し入れて、外側キャップ７１６上をスライドさせ、外側キャップ７１６をはずす。このようにして、タッピング装置６０１内に位置せしめる時、飲料容器６０３は外側キャップ７１６と脱落なしに組み合わされうる利点がある。結局弾性突起６８０によりそれが保持される。こうして飲料容器６０３の設置時の取り扱いが容易に実施可能である。また、設置時に外側キャップ７１６により保護されているので、液出し手段は外側キャップ７１６により保護されているので、この液出し手段、特に穴抜き手段が早まって作動されることが防止される。飲料容器６０３がはめ合わせ部６６５の第２部６６８とロック手段７１７によりタッピング装置内に固定されて始めて、外側キャップ７１６は取り外し可能で接続手段は上述の如く位置せしめられタッピング装置６０１のカバーが閉じられる。これで飲料容器の衛生的並びに安全な設置が可能である。飲料容器上の外側キャップの固定手段はほんの略図的に示されているが勿論おおくの他の適当な方法に構成せしめられる。はめ合わせ部６６５の２部構成は飲料容器に接続されたままの第１部６６６が比較的簡単、軽量、安価な設計とされ、飲料容器と共に取り除かれ、他方第２部６６８は適当な材料ならびにデザインを選択することにより繰り返し使用しうるようになしうる利点がある。かかる具体例は飲料容器を完全にあるいは部分的に廃棄可能な型のものとする際に環境上の利点をゆうする。
【００９５】
本発明に係る飲料容器３、２０３、４０３、５０３、６０３、７０１、８０１、９０１は液出し手段が飲料容器と共に供給され、またそれと共に廃棄されうる利点を有する。このことは使用中に、飲料容器からの飲料がタッピング装置１で液出し手段以外のたの部分とは接触しないことを意味する。このように、タッピング装置の汚染は簡単に防止され、従って飲料容器の交換時に洗浄する操作が省略され得る。このことは使用者に喜ばしいことであり洗浄剤使用の必要性が回避される。また、交換さるべき容器の内容物が設置される新しい容器のものとことなる場合、飲料容器交換時に味の諸問題がおこることを避けることができる。このものの更なる利点はシールド形素子と飲料容器の内容物の直接的関連が存在するので、タッピング装置から如何なる型の飲料が出るのか使用者には常に明らかである点である。従って誤認は容易に回避せられる。勿論少なくとも一部の液出し手段は再利用に適している。
【００９６】
図８は本発明に係る容器７０１の断面図である。この容器７０１は樽形であり、円筒状縦壁７０３、底部７０４及びショルダー部７０５からなる容器本体７０２を含む。容器本体７０２は後述する底部７０４の接続口７０６及びショルダー部７０５の液出し口７０７を除き実質的に気体ならびに液体を通さない。
【００９７】
底７０４とショルダー部７０５の間で、膜７０８が壁７０３に取り付けられ、液出し口７０７から接続口７０６を分けている。スタート状態、即ち容器７０１中に入れられる前には、この膜７０８は好ましくは円形で壁７０３の直径よりも大きな直径を有している。この膜７０８は容器を以下加圧室７０９と呼ばれる底の部屋７０９と、以下貯蔵室７１０と呼ばれる上の部屋７１０とに分けている。
【００９８】
図８に示されている状態で、貯蔵室７１０は最大限に放出さるべき飲料で満たされており、その為膜は壁７０３の下に伸びる部分と接続口７０６の上の底７０４に押しつけられている。この状態で、膜７０８は好ましくは実質的に張力なくあるいは僅かに弾力的に引き伸ばされて、容器７０１の内部に接触している。
【００９９】
容器７０１はその上側に比較的大きなキャップの形の密閉手段７１１を有し、図示せる具体例ではそれはショルダー部７０５全体を覆つている。キャップ７１１には頂面７１９と環状エプロン７１２が設けられている。エプロン７１２の縦自由端に隣接して環状溝７１３が設けられ、この溝は内側で開き、その中に容器７０１の環状エッジ７１４が適切な適合性で受け入れられる。この環状エッジ７１４は例えばショルダー部７０５から或る距離だけ下で外方に広がる壁部分により作られる。エッジ７１４の形はキャップ７１１及び／又はエッジ７１４を壊さずにキャップ７１１を容器７０１から取り外せないような形であることが好ましい。その為、エッジ７１４にはキャップ７１１を垂直に動かす間に、溝７１３中に割り込む比較的尖鋭なエッジ部７１５が設けられる。実際には、勿論このエッジ７１４をキャップ７１１上に、また溝７１３を容器７０１の壁に設けることも出来、またエッジ７１４を別途に作り容器７０１あるいはキャップ７１１上に設置することも出来る。またキャップ７１１が容器７０１より直径が小さいとか明らかにそれとは違う形である場合にも、キャップ７１１を膠付けあるいは類似方法で容器７０１にしっかり接続せしめることも可能である。必ずしも必須ではないが、キャップ７１１は容器７０１から取り外せずまた認知されぬ方法で容器上にもどされることがなく、従って実際に使用されるまでキャップ７１１内の空間は外界から遮断されたままであることが重要であり、この点はさらに後で述べる。柔軟な液出しホース７１７はその第１端が液出し口７０７に接続され、その反対側末端には該末端をタッピング装置Ｔ（後述）に組み合わせるためのカップリング手段７１８が設けられている。キャップ７１１には、開孔７２０の設けられた頂面７１９があり、この開孔中に多数のシールリップ７２１（図１１）を介して、破りすて出来るカバー部７２２が設けられ開孔７２０を覆つている。液出しホース７１７はカップリング手段７１８に隣接し、カバー部７２２の内部空間７１６に面する側に設けられている。突き破りシールリップ７２１を破ってカバー部７２２を開孔７２０から取り除くと、液出しホース７１７がキャップ７１１の外側位置に少なくとも部分的に引き出されカップリング手段をタッピング装置Ｔに接続可能となる。実際には、ホース７１７もカバー部７２２から自由にキャップ７１１内に位置せしめられ、カバー部７２２の除去でそれを開孔７２０を通り取り付けることも出来る。それについての各種改変が可能であり、またキャップ７１１での開孔７２０の配置についても各種改変が可能である。カップリング手段７１８に隣接しカバー部７２２を液出しホース７１７にカップリングすることにより、カバー部７２２はタッピング装置Ｔで常に目視可能である。有用な情報、例えば容器内容物の表示、ブランド、公告をカバー部７２２に設けタッピング装置の使用中常時見えるようにすることが可能である。
【０１００】
使用前にはカバー部７２２が開孔２０を完全に閉鎖しまた液出し手段７７、７１７、７１８はキャップ７１１の下に閉じ込められているので、容器内容物及び／又は液出し手段のごまかしは容易に防止せられる。
【０１０１】
図８に係る容器は下記の如く使用せられる。
容器７０１をその底部で、例えば加圧ライン７２６が自動的に底部７０４の接続口７０６に接続せられるように受け入れ部７２５中に位置させることにより、加圧源７２４（図１０）に接続する。その為、接続口は底面７０４から幾分高くなって底７０４に凹み７２７がつくられている。接続口７０６には好ましくは逆止め弁あるいは類似のバルブ手段が組み入れられていて、それが加圧ラインに繋がれあるいは切断されると自動的に開閉する。これは容器を取り外す時ガスあるいは液体が加圧室から流れ出ることを防止する。同様方法で加圧ラインにかかる手段を設けることが出来る。例えばクランプ手段により、あるいはねじ式接続部７２８により容器はその壁が受け入れ部７２５上にあるいはその中に固定せられる。
【０１０２】
図１０では容器の底の回りに隣接してねじ式接続部７２８が設けられ、対応する部分を有する容器だけが底部分７２５中に位置せしめられる。図１０Ａではねじ式接続部７２８がくぼみ７２７に接続ライン７２６の末端回りに設けられている。これはねじ式接続部７２８が比較的小さな断面を有し問題のカップリングでの力が比較的少ないことを意味する。またこうして得られる利点は直径のいろいろ異なる容器が同じ装置に同様にして接続されうる点である。勿論、他の接続手段例えば差し込みピンあるいは迅速作動カップリングあるいは当業者周知の類似のカップリング手段も選択されうる。
【０１０３】
容器１が加圧源７２４に接続されると、カバー部７２２が破られ可撓性ホース７１７が空間７１３からキャップ７１１の外側位置に部分的に引き出される。次いでカップリング手段７１８がタッピング装置Ｔの適当なタップに接続せられる。カップリング手段がタッピング装置Ｔに接続されるまでに容器から飲料が流れ出ることを防止するため、密閉装置がもうけられる。この密閉装置はカップリング手段１８中にあるいは任意的にホース７１７中に組み込まれ、ホースが接続される時あるいは容器内圧力が増大するとき自動的に開放されるが、液出し口に隣接しあるいは該口中にくみこまれるのが好ましい。この液出し口は例えば図９Ａに示される如く設計され、この具体例は後段に説明してある。カバー部７２２が破りすてられると密閉装置には開孔７２０を通じて手がとどく。この密閉装置は下方に押し下げられ液出し通路が開放される。この位置で、密閉装置７３１は例えば少し回転させあるいは変形されて固定せられる。またカバー部７２２を取り除いて操作される密閉装置を用いることも出来る。それにはおおくの改変が可能である。好適な密閉装置が従来より公知である。ホース７１７はタッピング装置のタップ７３０に適当に接続され、その目的でカップリング手段７１８は例えばタップ７３０の迅速作動手段と協力し得る迅速作動手段として設計せられる。
【０１０４】
加圧源として、種々のタイプの気体あるいは液体を用い得る。例えばガスは容器あるいは圧力ラインネットワークから加圧下に供給され、あるいはガスあるいは液体が図９に示される如くポンプ７２９で供給せられる。
【０１０５】
加圧媒体を加圧室７０９中に供給することにより、膜７０８は少なくとも部分的に液出し口７０７の方向に押され、それにより貯蔵室７１０の容積が減少する。その結果貯蔵室７１０内の飲料は加圧される。従って密閉装置７３１が開放された時飲料は容器７０１から液出しホース７１７中に押し出される。次にタップを開けると飲料は容器から出される。加圧媒体を加圧室に供給することにより、膜７０８はさらに動かされ、貯蔵室７１０内の飲料は所望圧力に保たれる。このようにして、膜７０８が液出し口７０７（図１０）を覆う壁７０３の頂部の並びにショルダー部７０５に押し当てられるまで膜による圧力で全貯蔵室７１０が空にされる。この状態で加圧室７０９の容積は最大に、また貯蔵室７１０の容積は最小になる。
【０１０６】
貯蔵室７１０内の圧力は加圧室７０９内の加圧媒体により膜７０８が移動して蓄積されるので、加圧媒体が放出されるべき飲料と接触することは防止せられる。従って飲料が加圧媒体により影響をうけることは防止せられる。特に炭酸あるいはその他のガス入り飲料の場合、例えばビールの場合のように加圧媒体としてガスが用いられる時にこれは重要である。結局ビール中の二酸化炭素の量は加圧媒体により影響されることはない。また加圧媒体として液体、特に水が用いられても希釈は生じない。
【０１０７】
所望により、貯蔵室７１０が完全に空になつたとき（図１０）、例えばポンプ方向を逆にして加圧室を空にすることが出来る。これは加圧液体を用いる場合に係る加圧媒体の重量の点から特に有利である。こうすると膜が再び出発位置へともどされる。また次の容器のために同じ加圧媒体を再利用することが出来る。
【０１０８】
膜７０８は好ましくは、膜７０８のエッジと底７０４の間の距離Ｂより幾分大きい、ショルダー部７０５からの距離Ａのところで壁に取り付けられる。貯蔵室７１０が殆ど空になった図１０に示された位置で、膜７０８は好ましくは幾分弾性的に膨脹されている。こうして、その位置で、膜は完全に引き伸ばされ、それにより飲料が膜７０８と貯蔵室７１０内部との間に残存することが防止せられる。
【０１０９】
膜はゴムあるいはプラスチックあるいは類似材料の実質的に平らな円盤から、一定の切断面に作られる。有利なのは、この膜は内側に向かい幾分厚くなっており、膜が引き伸ばされるとき外側から内方に変形が広がるようになされる。こうすると飲料残存の可能性がより有効に防止せられる。また膜上に例えば隆起及び／又は溝、例えば図１３に示された放射線状溝を設けることが出来る。このような隆起及び／又は溝７３２は膜が容器の壁に粘着することを防止しまた飲料の残存をも防止する。
【０１１０】
図１２は本発明に係る装置のべつの具体例で、容器７０１がタッピング装置Ｔ内に完全に含まれている状態を示す。その目的で、タッピング装置Ｔはボックス形受け入れ部７４０とカバー７４１からなり、該カバーは例えばピボットで受け入れ部７４０に接続され、クランプ手段７４２により該受け入れ部にクランプされている。受け入れ部７４０は円筒状の内部空間を有し、該空間の直径はキャップ７１１の下に伸びる容器７０１の部分に大体匹敵している。受け入れ部７４０の頂部エッジに沿って第１環状受け入れ溝７４２が内側に設けられ、キャップ７１１のエプロン７１２の自由縦エッジ７４３の形に対応した形となっている。この自由縦エッジ７４３は内側の溝７１４の結果として外側に突き出ている。容器７０１が受入部７４０に収容されると突出部７４４は第１受容溝７４２と少なくとも液を通過させないシール状態になる。カバー７４１はキャップ７１１を収容するにすくなくとも十分の空間を提供する内側の形を有し使用時に受容部に面する側に沿って第２の環状受け入れ溝７４５を備え、この溝はキャップ７１１の凸状部７４４の頂部側に適当に接続されうる。こうして容器７０１は適当な適合性でタッピング装置Ｔ内に収容され、キャップ７１１の下に伸びる容器７０１の部分と回りの受け入れ部７４０の間に密閉空間が作られる。
【０１１１】
受け入れ部７４０の底側に隣接して、加圧媒体供給ライン７４７が設けられており、好ましくは容器７０１の接続口７０６に隣接して容器７０１と受入部７４０の間の空隙中に開いている。加圧媒体が導入せられる時、該媒体は加圧室中に供給され、容器壁７０３上に外方向への圧力が加わる。この部分は受入部７４０により囲まれているので、比較的薄い設計となし得る。そのままで、受入部７４０は使用中損傷を防止するに十分な役目の壁７０３を提供する。カバー７４１には開口７４６が設けられそこを通つて、カバー７４１の密閉前あるいは多分その後、液出しホース７１７が通りぬけ、従ってカップリング手段７１６に外側から手が届く。図１２に示された具体例において、カバー７４１上にはタップ７３０が設けられ、このタップはカップリング手段７１６のためのカウンターカップリング手段７４８が設けられている。
【０１１２】
図示せる具体例において、タップ７３０はホースコック型のものである。このタップ７３０はレバー７４８を含み、このレバーはピボット７４９を介しカバー７４１から伸びるアーム７５０に接続されている。カバー７４１の方に向いた側でピボット７４９から斜めに伸びているのは加圧アーム７５１で、これはレバー７４８に固定接続されている。加圧アーム７５１およびアーム７５０の長さ方向を横断して、加圧ローラー７５２が加圧アーム７５０の自由端から伸びている。従ってレバー７４８がピボットされると、加圧ローラー７５２がアーム７５０に対して動かされる。アーム７５０の自由端には屈曲液出し管７５３が設けられており、この管は、アーム７５０上に位置する末端でカバー７４１から離れたピボット７４９側に位置せられる末端にカウンターカップリング手段７５４を含む。
【０１１３】
容器７０１がタッピング装置Ｔ中に挿入された後、液出しホース７１７をカバー７４１中に通し加圧ローラー７５２の下でアーム７５０上に置き、カップリング手段７１６がカウンターカップリング手段７５４にカップルされる。レバー７４８が大体垂直位置に動かされると、ホース７１７は加圧ローラー７５２により加圧シャットされ、レバー７４８が大体水平位置に動かされると、ホース７１７は開放され飲料は容器から、ホース７１７および液出し管７５３を介し、例えば液出し管の下に保持されたコップ中に送り出される。このタップは一例として記載されており特に製造ならびに使用が安価で簡単である。勿論あらゆる型のたのタップ、例えば現在使用されているタッピング装置も同様に使用せられる。圧力測定装置を設け、例えば液出しホース７１７あるいは貯蔵室７１０内の圧力に応じて、予めセットされた所望のタッピング圧により加圧室への加圧媒体の供給を制御することが出来る。
【０１１４】
キャップ７１１は平らな頂部７１９にすることが好ましい。こうすると容器１がキャップ７１１の上に位置せしめられ、容器の底側は必ずしも平坦である必要は無く、またキャップが容器を少なくとも充填状態で支持しうるようなデザインのものとなしうる利点がある。かくして容器の底側を例えば二重彎曲のものとすることが出来強度ならびに変形の点で有利である。キャップ７１１はショルダー部７０５を覆つているので、このショルダー部７０５も同様に平らでない自由な形例えば二重彎曲のものとすることが出来る。また特に受け入れられ安井外形にすることが出来る。
【０１１５】
しかしながら比較的大きな容器例えば内容１０、２５あるいは５０リットルの樽の場合、容器は底側で所定位置に置かれるように構成することが好ましい。かかる樽では、図１２に示されている如くタッピング装置内にそれを装置するように容器を自由に手配することが好ましい。またこのような比較的大きな樽では容器の頂部側全体に及ばない別種のキャップを用いることが好ましい。かかる樽では例えばビール樽に通常使用される接続部を使用することが出来るが、実際には接続ラインのみが知られており、またバイアスラインを樽の頂部側に隣接する点から加圧室の接続部まで加圧媒体用の供給ラインとして設け、従来のタッピング装置に使用するようになしうる。また例えば液出し口７０７だけ覆うキャップが使用され、公知方法で密封シール作用を与えあるいは密封シール作用なしに設計せられる。所望によりキャップは省略されうる。多くの改変がそれにつきなされ得る。
【０１１６】
図９Ａは密閉装置７３１の詳細を示している。この密閉装置７３１はカバープレート７６１を有するピストン７６０からなり、このカバープレート７６１は密閉位置でその底側で液出し口７０７に密着して押しつけられている。カバープレート７６１からロッド７６２が液出し口７０７中を通り抜け空間７１６中へと伸びている。このロッド７６２はその両側にショルダー７６３をもつ幾分平坦な部分を有している。液出し口７０７にはカバープレート７６１が液出し口７０７を覆うようにショルダー７６３を受け止め得る２つの溝７６４が設けられている。カバープレート７６１はこの位置でばね７６５により片寄らされている。容器を開放せしめるときは、ロッド７６２が底７０４の方向に押し下げられ、ついでショルダー７６３が溝７６４に対して図９Ａに破線で示された位置へと移行せられるように回転せしめられる。これでカバープレート７６１に沿って開口７６６が出来、そこを通つて飲料が貯蔵室７１０から液出しホース７１７のほうに流れうる。この位置でピストン７６０は開放され、ショルダー７６３はばね７６５により溝７６４に続くショルダー部７０５に押しつけられる。密閉装置７３１は通常キャップ７１１に覆われているので開口６６が不用意に開放される危険性はない。
【０１１７】
図９Ｂに示されている別の具体例において、キャップ７１１は、頂面７１９から伸びているスタブ７６７の内部ねじ山と液出し口７０７の回りのネック部７６８上の外部ねじ山により容器７０１に接続され、溝７１３はキャップ７１１が容器に対して少し縦に移動できるような設計となっており、２つのねじ山はたがいにとりはずしが出来ず常に互いに密着接続されている。スタブの頂部側に隣接して可撓性ホース７１７がその内部空間に接続されている。キャップ７０１が図９Ｂの左側に破線で示される如く完全にねじで下にさげられると、接続ホース７１７はネック部７６８により閉ざされる。キャップ７１１が図９Ｂに実線で示される如く溝７１３がエッジ７１４にあたるまで、ねじで上げられると、接続ホース７１７はネック部７６８の上で、液出し口７０７と開放連絡され飲料が放出せしめられる。所望によりエプロン７１２の自由底エッジに沿って引き裂きエッジを設け、このエッジがキャップ７１１を上方にねじで上げる際に緩く裂け、さらに密封シール手段として作用するようにすることも出来る。
【０１１８】
図示せる具体例では膜７０８が容器壁７０３の内側に固着されていることが略図的に示されている。そのため膜は例えば貼りつけられ、あるいはクランプリング当の手段で固定されている。図示されてない１具体例で、容器は２つの半身から作られ例えばクランプ接続、ねじ山、グルーあるいは溶接手段により相互に組み合わされている。この２つの半身の間に膜がクランプせられる手だてがなされている。そのために、２つの容器半身体をくみあわせる前にどちらかの半身体に例えばクランプリングを設け、このクランプリングに膜が取り付けられる。かかる具体例は膜を容易に正確な位置に取り付けることが出来、また少なくとも容器の半身体を取り外せる限り、検査、補修および交換のため膜に容易にアクセスできる利点がある。
【０１１９】
本発明に係る容器７０１は情報で清浄化し、充填可能である。洗浄には、容器を接続口を介し、例えば水ラインに接続し、液出し口にフラッシュラインを接続することができる。２つの部屋は交互に充填可能であり、従っていずれの場合にも反対の部屋は膜の移行により空にせられる。従って、容器から汚れが除かれ、膜も同時にフラッシュされる。膜の疵は圧力低下が起こったり加圧媒体及びフラッシング媒体が一緒に流れでるため容易に検知せられる。勿論貯蔵室への飲料の充填は液出し口を介して可能である。
【０１２０】
図９Ｃは本発明に係る容器のべつの具体例を示しており、ここでは樽型容器７０１が容器ボデー７０２から作られ、円筒状縦壁７０３の頂部エッジ上にはショルダー部７０５がカバー型に設計されこの頂部縦エッジ上に例えば公知のフランジ操作で固定されている。カバー型ショルダー部７０５と縦壁７０３の間で膜７０８の頂壁がフランジ付きエッジに固定されている。膜７０８は例えば比較的薄い箔から作られ、容器ボデー７０２の全内壁に沿って伸びている。かかる具体例は勿論再利用も可能ではあるが、特に１回限り使用さるべき樽として好適である。図９Ｃに示される樽の製造には深絞りあるいは薄絞り、プレスおよびフランジ付け等公知技術が用いられる。
【０１２１】
図１４は本発明に係るべつの具体例の容器を示し、図では対応部位には対応する参照番号が付されている。容器８０１は密閉壁８０３と底８０４からなり、ピストン８０８が壁８０３内を、底面８０４に平行して伸び、このピストンは縦壁８０３の内側に密着し押しつけられて移動しうる縦壁を有する。このピストン８０８は底部室８０９をその上に隣接する貯蔵室８１０から分離する。容器８０１の底８０４にある開口８０６を通り伸びているのはスクリュースピンドル８３０で、これは第１末端でピストン８０８の底側に押しつけられ、反対側の第２末端は容器８０１の外側に伸び、適当な手段例えば電気モーターで矢印Ｒの方向に回転可能である。底８０４に設けられているのはスクリュースピンドル８３０と共同作動なし得るナット８３１である。スクリュースピンドル８３０をナット８３１内で回転させると、ピストン８０８が矢印Ｐの方向に縦に移動しその結果室８０９が拡大され室８１０が縮小しまたその逆がおこなわれる。第１末端でスクリュースピンドル８３０は、その縦軸の回りまたピストン８０８に対して回転するが、ピストンはスクリュースピンドル８３０に対して軸的に回転しないように、ピストンに接続されている。こうしてスクリュースピンドル８３０の動きとピストン８０８の動きの間の直接的連絡が作られる。
【０１２２】
図１５は例えばホテル、レストラン、バー等、時間当たりに比較的少量の飲料が分配され、該飲料が冷やされているべき場合に使用するのにとくに適した、本発明装置のさらに別の具体例を略図的に示す。対応する部位は９を前につけて対応数字で示されている。この具体例において、液出しホース９１７のカップリング手段９１８は、冷却手段９８２と連絡している例えば貫通流動熱交換機９８１である所謂インライン冷却機９８０に組合わされている。カップリング手段９１８の反対側で接続ライン９８３がインライン冷却手段９８０に接続し、さらにこの接続ライン９８３は例えばホテルとか食料調達業で周知の型のタッピング装置９３０に接続されている。上述の方法でポンプ９２９を介し、加圧源が容器９０１の加圧室に接続せられる。容器９０１から排出去るべき飲料はインライン冷却機９８０を通過し適当な温度になされあるいは維持せられる。インライン冷却手段９８０により、飲料特にビールの温度は例えば５〜９℃、特に６〜７℃になされあるいは保持されるから、たとえ容器が冷却されておらず比較的長いライン９１７、９８３の場合にも飲料は最適温度で放出せしめられる。特にライン９１７及び９８３内の飲料の温度を正確に制御することは衛生的見地からとくに重要である。容器９０１が比較的高い温度でクーラー中に置かれるても、飲料は図１５の装置で適当な温度で直接液出し可能であり、時間が経過し容器９０１内の飲料が適当な温度になるとインライン冷却手段９８０のスイッチが絶たれあるいは所望によりそのままに保持され、これは液出しライン９１７、９８３が比較的に長い場合に特に有用である。勿論、多数のあるいは別のインライン冷却手段９８０も同様に使用可能である。インライン冷却手段９８０は放出さるべき飲料が冷却手段９８０の一定部位に直接接触するように設計せられるが、また例えば液出しホース９１７が貫通して伸び間接的熱交換が行われるように設計することも出来る。後の具体例での冷却効率は幾分低いが、衛生の点からは有利である。
【０１２３】
本発明に係る装置の利用は放出さるべき飲料特にビールと、加圧媒体との分離を包含するので、容器内の圧力および放出中の飲料の流量の複雑な制御なしで、なかに容器が置かれるクーラーとインラインクーラーの組み合わせを用いることが可能である。加圧室内の圧力が容器内の飲料の全温度範囲（例えば５〜３０℃）でビールの平衡圧より高くまた一定に保たれる限り、インラインクーラー９８０は、パッキング温度とは無関係に飲料の一定流量が得られるように容易に設計なしうる。インラインクーラー９８０の冷却蛇管のデザインによる流量の制御はラインあるいはタップ中に飲料のため抵抗体をくわえることを省略なしうる利点を与える。
【０１２４】
タッピング装置への飲料の接続は一方向接続であるから、二方向接続が用いられタッピングヘッドが接続された時バクテリア及び空気がタッピングヘッドからパッキング内に直接ポンプ送りせられる通常の接続とは異なり、有害なバクテリヤあるいは空気がここを通つてパッケージ内の飲料に入ることが容易に防止せられる。全体の装置が冷却されるので、ライン中に存在するかもしれぬバクテリアは全く生育しないかあるいはその速度が低い。その結果パッケージの貯蔵寿命は例えば３−６週間まで増大し、またタッピング装置の洗浄回数も例えば年間で２−４回と少なくなる。加圧媒体として炭酸ガスも勿論用いられるが、これは好ましくなく、本発明の装置では公知のＣＯ２瓶はもはや不要である。
【０１２５】
図１６は本発明に係る装置のさらに別の具体例を示し、この装置は図１２に示されている如きタッピング装置Ｔのボックス型受入部９４０内に受け入れられる容器９０１からなる。受入部９４０はほんの略図的にしか示されていない。容器９０１は底９０４、垂直な円筒状縦壁９０３及びショルダー部９０５からなり、図示せる具体例では縦壁９０３上にフランジがつけられ、また液出し口９０７をふくんでいる。ショルダー部９０５の垂直部９０５ａには接続ライン９２６を介して圧力源９２９に接続するために多数の接続孔９０６が周囲に設けられている。この接続のため、受入部９４０には環状の好ましくは可撓性のリング９９０が設けられている。このリング９９０は２つの内方に伸びるフィンガー形エッジ９９１がお互いに傾斜して設けられ、その間に室９９２が規定されている。この室９９２は接続ライン９２６に接続されている。使用中、接続口９０６の上および下のエッジ９９１はショルダー部２０５の垂直部９０５ａに接触し、エッジ９９１は弾性的に変形されショルダー部９０５に対しての気密シールが得られる。使用中、それにより達成せられる利点は、室９９２内の圧力が増大することにより、エッジ９９１はしっかりとショルダー部９０５ａに押しつけられさらに良好なシールが得られることにある。接続口９０６が容器９０１の頂部末端に隣接して位置せしめられるので、接続口９０７の高さを変えることなしに、容器はそれが受け入れ部９４０内に適合するかぎり、任意の長さのものとなしうる。これは同じ装置内に、比較的容積の小さい（例えば１．５リットル）容器ならびに比較的容積の大きい（例えば５リットル以上）容器が収容されうる利点がある。事実、本発明に係る装置はホテル、レストラン、カフェ等での使用に特に適した、大容積（例えば１０、２５あるいは５０リットル）の容器に使用するにも好適である。
【０１２６】
図１６に示された具体例で、貯蔵室９１０は比較的柔軟な箔形バッグあるいは圧縮可能なプラスチック瓶９０８で作られており、液出し口９０７に隣接して懸垂され或いは少なくとも取り付けられている。加圧媒体が供給ライン９２６及び接続開口９０６を介して導入されると、バッグ９０８は使用中圧縮され、貯蔵室９１０から飲料が移動され、それにより加圧空間が拡大せられる。バッグ９０８はそれが実質的に半径方向に圧縮され貯蔵室２１０全体が空になるように、円筒状縦壁９０３にその周囲に分布する多数位置で接続されている。図示せる具体例では飲料容器は２部から構成されているが、勿論一部構成とし例えば瓶形あるいは樽形容器９０１となし、その中で貯蔵室９１０がバッグ形あるいは瓶形構造のものとなされることもできる。
【０１２７】
容器の頂部末端に隣接し、縦壁９０３での底９０４あるいはショルダー部９０５から少なくとも間隔をおいて接続口９０６を位置せしめることは、上に示された膜８を有する具体例にも接続口７０６、９０６が膜７０８あるいはバッグ９０８の圧力側に面する側面に開いている限り勿論適用可能である。またバッグ９０８は接続口９０６が底部に位置せしめられる具体例にも用いられる。
【０１２８】
図１６に示された具体例で容器９０１は図１２での具体例に匹敵しうるショルダー９１４で受入部９４０中に閉じ込められているが、たの係留法、例えば円筒状壁とのかみ合わせでも受け入れ可能である。本発明に係る各種具体例の組み合わせも発明範囲内である。
【０１２９】
図１５にかかる装置では各種の異なる容器７０１、８０１、９０１加圧源、冷却手段等が用いられる。
【０１３０】
本発明に係る装置ならびにアセンブリーで容器は収拾し再充填して再利用されるが、液出し手段は使用後完全にあるいは部分的に放棄せられる。これは衛生的見地からとくに重要である。しかしながら使用後に液出し手段をすくなくとの部分的に十分洗浄して再利用することも可能である。これは環境上の見地から有利である。
【０１３１】
図１６に示された具体例において、容器内の飲料は完全にバッグ９０８により囲まれている。従ってバッグは実質的に酸素を透過させない構造で、容器の壁は所望なら比較的酸素を透過させるプラスチックから作り得ることが出来る。かかる具体例は比較的安価な材料を使用出来るので経済的に有利である。
【０１３２】
またバッグを二重壁構造のものとなし少なくとも１つの接続口９０６を内側バッグと外側バッグの間に位置せしめそれらの間に加圧空間９１１を存在するよう設計することができる。その結果、使用中に加圧媒体の圧力は実質的に外側バッグにより生じるので容器の壁は比較的薄く柔軟性設計とすることが出来、容器の形に関して設計が相対的に非常に自由となる。図１６Ａ〜図１６Ｃはかかる二重壁のフォイルバッグの３つの可能性ある具体例を略図的に示している。
【０１３３】
図１６Ａは例えば吹き込み内部フォイルバッグ９０８ａが外側フォイルバッグ９０８ｂにより囲まれたものを示している。フォイルバッグ９０８ａ，ｂの一方あるいは双方をその所望のバリヤー特性に応じて多層構造とすることが出来る。内側バッグ９０８ａと外側バッグ９０８ｂの間には内側バッグ９０８ａの回りに加圧空間９１１が作られている。
【０１３４】
図１６Ｂはバッグ９０８が３層９０８ｃ，９０８ｄ，９０８ｅから作られそれらが相互に接続されて２つの室９１０と９１１が作られている具体例を示している。加圧媒体が第１層９０８ｃと第２層９０８ｄの間に供給されると加圧空間９１１の容積は大となり、飲料が貯蔵室９１０から押し出される。事実、例えば第２層９０８ｄと第３層９０８ｅは筒状フォイルプロファイルの部分を作り、それに対して第１層９０８ｃがシールせられる。底側に隣接した所で３層は相互に接続しさらに容器の壁あるいは底に付着し、その結果バッグ９０８が容器内で位置的に固定され含まれることになる。
【０１３５】
図１６Ｃにおいて、フォイルバッグ９０８は４層のフォイル層９０８ｆ−ｉから作られている。このため例えば２つのフォイル形チューブロファイルが重ねられて配置され底側に隣接してシールされ、他方頂部側に隣接して外側フォイル層９０８ｆと９０８ｉの壁が内部フォイル層９０８ｇと９０８ｈの外側にシールされている。かかるフォイルバッグも４つのシールされたフォイル層郡から構成せしめることも出来る。フォイル層９０８ｇと９０８ｈの間には貯蔵室９１０が作られ、その回りに加圧空間９１１がフォイル層９０８ｆと９０８ｉの中に囲まれている。加圧媒体の加圧空間９１１への供給は貯蔵室９１０の圧縮をもたらし、なかの飲料を押し出す。バッグ９０８はまた底及び／又は縦壁に固定されバッグが容器９０１に対し移動することを防止する。フォイル層群も上記理由から多層設計と成しうる。
【０１３６】
特に図１６Ｂ及び図１６Ｃに示された具体例は連続プロセスでバッグ形容器群の充填の可能性を与える。その為、バッグの長さに比べて相対的に長いチューブプロファイルが充填され適当な位置でシールされ切り離されてどれにも所望飲料が充填されたバッグが作られる。こうすると空気がバッグ中に含まれることが容易に防止せられる。勿論べつの充填法も用いられる。
【０１３７】
本発明は図面に示された具体例に限定されるものではなく、そのおおくの改変が可能である。
【０１３８】
本発明に係る飲料容器には例えば幾分内部に伸びるネック部を設け飲料容器の全体の高さを低くすることが出来る。また液出し口から離れて、例えば飲料容器の底側に隣接して充填口をもうけた飲料容器を使用することも出来る。こうすると密封シール膜を飲料容器と一体に構成し飲料容器を充填操作前にすでに組み合わせることができる。飲料容器の壁に例えばファセット形、環状あるいはストライプ形面の変形域を設け、使用中に加圧室内での圧力蓄積の影響で飲料容器が好ましいこうこうに圧縮されるようにすることが出来る。こうすると飲料容器は好ましい方向に圧縮せられる。また、一次キャップ及び二次キャップあるいは第１カップリング部、接続部及び第２カップリング部の如き種々の部分を一体化させることが出来る。１つの飲料容器が収納されるタッピング装置のみ図示したが、２つあるいはそれ以上の飲料容器が同じタッピング装置内に収納される、好ましくは１つあるいはそれ以上の加圧室に並べられて収納される具体例もまた可能である。その場合、各飲料容器が空になる度合いは使用中の加圧室内の圧力によりまた各容器からどの程度飲料が放出されたかにより決定せられる。
【０１３９】
勿論加圧媒体に加えて、あるいはその代わりに、飲料容器の圧縮を少なくとも支持しあるいは膜バレルでの膜の移動を支持するために機械的加圧手段を用いるもとも出来る。上述せる如き変形の出来ない樽が使用される場合、膜はバッグ形のデザインとし飲料容器にあるいは少なくともそのネック部に隣接して取り付けられる。
【０１４０】
容器１は違った形例えば多角形断面で凸状末端のものとすることが出来、またキャップ１１も種々の形に成しうる。またキャップは種々の適当な方法で容器に固定せられる。容器はべつの方法で圧力源に接続可能であり、また圧力源は任意の適当な風に設計可能である。膜はプラスチック製として、弛んだ状態で容器の壁から或る距離例えば平らに伸びるようにすることが出来る。また膜は加圧室を貯蔵室から分離する限り任意の所望位置に配置せられる。加圧源への接続手段及び液出し手段への接続手段は別方法でまた別位置に設けることが出来、例えば容器の頂部側近傍に双方を設け、加圧媒体の加圧室への通路のためのチャンネルを設けることが出来る。かかるチャンネルは例えば上述の如く受入れ部に設けることが出来る。明細書では放出さるべき飲料としてビールを述べた。しかし例えばソフトドリンク及び他のアルコール性飲料の如くたのあらゆる種類の飲料も容器内に入れられることが理解されよう。また例えば１つの容器内の重ねられた貯蔵室に別々の飲料を入れることも出来る。
こう言ったまた多くの改変が本発明の範囲内に含まれる。
【図１】
2010047322.tif 000003
【図２】
2010047322.tif 000004
【図３】
2010047322.tif 000005
【図４】
2010047322.tif 000006
【図５】
2010047322.tif 000007
【図６】
2010047322.tif 000008
【図７】
2010047322.tif 000009
【図８】
2010047322.tif 000010
【図９】
2010047322.tif 000011
【図９Ａ】
2010047322.tif 000012
【図９Ｂ】
2010047322.tif 000013
【図９Ｃ】
2010047322.tif 000014
【図１０】
2010047322.tif 000015
【図１０Ａ】
2010047322.tif 000016
【図１１】
2010047322.tif 000017
【図１２】
2010047322.tif 000018
【図１３】
2010047322.tif 000019
【図１４】
2010047322.tif 000020
【図１５】
2010047322.tif 000021
【図１６】
2010047322.tif 000022
【図１６Ａ】
2010047322.tif 000023
【図１６Ｂ】
2010047322.tif 000024
【図１６Ｃ】
2010047322.tif 000025